(57)【特許請求の範囲】
【請求項１】
皮膚に隣り合って装着者によってつけられる吸収性製品であって、前記吸収性製品は、
バックシートと前記バックシートに接続されたトップシートとを含む外側カバー層、および前記トップシートと前記バックシートとの間に位置する吸収性コアを含むシャーシ；
前記シャーシに接続され、第一の表面と前記第一の表面に対向して配置された第二の表面とをそれぞれ有するカフスであって、前記カフスはカフス部材と伸縮性部材とを含み、前記伸縮性部材は対向する伸縮性端部を有し、前記カフス部材に接続されたカフス；および
前記カフス上に配置され、２０℃において半固体または固体であり、接触、通常の装着者の動きおよび／または身体の熱によって装着者の皮膚に少なくとも部分的に移動することが可能な効果的な量のスキンケア組成物を含み、
前記伸縮性部材は、耐油性接着剤を用いて前記カフス部材に接続され、前記接着剤は１７７℃の温度で約８０００センチポアズ未満、かつ１２１℃の温度で約５０，０００センチポアズ未満の見かけ粘度と、１グラム当たり約２０ジュール未満の融解熱とを有し、前記伸縮性端部の１０％未満は、伸縮性クリープ法にしたがって前記カフスが評価された際に、約０．３５インチ（８．９ｍｍ）を越えるクリープ値を有することを特徴とする吸収性製品。
【請求項２】
前記カフスの上の前記スキンケア組成物の量は、０．０５ｍｇ／ｉｎ2（０．００７８ｍｇ／ｃｍ2）ないし８０ｍｇ／ｉｎ2（１２．４８ｍｇ／ｃｍ2）である請求項１記載の使い捨て吸収性製品。
【請求項３】
前記スキンケア組成物は、
（ｉ）２０℃において塑性または流体粘稠度を有する１０％ないし９５％の軟化剤；および
（ii）前記軟化剤を前記カフス上に固定化することが可能な５％ないし９０％の薬剤を含有する請求項１に記載の吸収性製品。
【請求項４】
前記軟化剤は、鉱油ベースの軟化剤、脂肪酸エステル軟化剤、ポリシロキサン軟化剤、スクロースエステル脂肪酸、アルキルエトキシレート軟化剤、およびそれらの混合物からなる群から選択される成分を含む請求項３に記載の吸収性製品。
【請求項５】
前記固定化剤は、ポリヒドロキシ脂肪酸エステル、ポリヒドロキシ脂肪酸アミド、Ｃ14〜Ｃ22の脂肪アルコール、Ｃ12〜Ｃ22の脂肪酸、Ｃ12〜Ｃ22の脂肪アルコールエトキシレート、およびその混合物からなる群から選択される請求項４に記載の吸収性製品。
【請求項６】
前記軟化剤は、約５％以下の水を含有し、ミネラルオイル、ワセリン、およびその混合物からなる群から選択される鉱油ベースの軟化剤を含む請求項５に記載の吸収性製品。
【請求項７】
前記スキンケア組成物は、前記第一の表面に配置される請求項１に記載の吸収性製品。
【請求項８】
前記第一の面は使用中に衣類側面を形成するように装着者から離れて向かう面を含む請求項７に記載の吸収性製品。
【請求項９】
前記スキンケア組成物は、前記第一の表面から前記第二の表面に移動する請求項８に記載の吸収性製品。
【請求項１０】
前記カフスは、前記トップシートの一部から形成されるサイドフラップを含むガスケットカフを有する請求項１に記載の吸収性製品。
【請求項１１】
前記カフスは、前記トップシートと単一的に形成されたバリアーカフスを含む請求項１に記載の吸収性製品。
【請求項１２】
皮膚に隣り合って装着者によってつけられる吸収性製品であって、前記吸収性製品は、
外側カバー層、および前記外側カバー層の中に入れられた吸収性コアを含み、端部を有するシャーシ；
前記シャーシに接続されたバリアーカフスであって、近接端と前記近接端から間隔をあけた関係にある遠方端とを有する別個のバリアーカフス部材を含み、前記近接端は前記外側カバー層に接合され、前記遠方端の一部は吸収性製品に固定されないバリアーカフスと、前記遠方端と操作的に関連して、前記バリアーカフス部材を前記外側カバー層から上に向けて離れて立たせる間隔伸縮性部材であって、対向する伸縮性端部を有し、前記バリアーカフス部材に接続された間隔伸縮性部材とを含むバリアーカフス；および
前記バリアーカフス部材上に配置され、２０℃において半固体または固体であり、装着者の皮膚に少なくとも部分的に移動することが可能な効果的な量のスキンケア組成物を含み、
前記間隔伸縮性部材は、耐油性接着剤を用いて前記バリアーカフス部材に接続され、前記接着剤は１７７℃の温度で約８０００センチポアズ未満、かつ１２１℃の温度で約５０，０００センチポアズ未満の見かけ粘度と、１グラム当たり約２０ジュール未満の融解熱とを有し、前記伸縮性端部の１０％未満は、伸縮性クリープ法にしたがって前記バリアーカフスが評価された際に、約０．３５インチ（８．９ｍｍ）を越えるクリープ値を有することを特徴とする吸収性製品。
【請求項１３】
前記バリアーカフスに隣接したガスケットカフをさらに含む請求項１２に記載の吸収性製品。
【請求項１４】
オムツである請求項１２に記載の吸収性製品。
【請求項１５】
生理用ナプキンである請求項１２に記載の吸収性製品。
【発明の詳細な説明】
【０００１】
【発明の属する技術分野】
本発明は、伸縮性のレッグカフスを含むカフスを有するオムツ、幼児のしつけ用ズボン、成人失禁用デバイス、生理用ナプキン、女性用衛生製品などのような吸収性製品に関する。特に、本発明は、通常の接触および／または装着者の動きおよび／または身体の熱によって装着者の皮膚に移動することができ、カフスまたはカフスとトップシートとの上に配置されたスキンケア組成物と、スキンケア組成物の油性成分に対して耐性を有し、そのような吸収性製品を組み立てるための手段とを有する吸収性製品に関する。
【０００２】
【従来の技術】
使い捨てオムツおよび失禁用ブリーフまたは下着のような吸収性製品の主な機能は、身体の放出物を吸収して収容することである。そのような製品は、それゆえ、衣類や装着者に接触するベッド用品のような他の製品に、身体放出物がしみを付ける、ぬらすこと、あるいは汚すことを防止することが意図される。そのような製品についての欠陥の最もよく起こる状態は、身体の放出物が製品と装着者の脚または腰との間のギャップから、隣り合った衣類に漏れ出すときに生じる。なぜなら、身体の放出物は製品中に迅速に吸収されず、吸収性製品は、装着者の上でよいフィットを維持することができないのでギャップが生じて、製品での放出物の漏れを許すからである。例えば、尿は、勢いよく噴出するとトップシートの上に溜まる傾向を有するので、製品と装着者との間のギャップに尿が移動し、ここで尿は、衣類または他の製品に接触して、これらの製品に吸収される。さらに、吸収性製品に容易に吸収されない軟便物質は、身体接触面の上を“おおう（ｆｌｏａｔ）”傾向を有し、製品と装着者の脚または腰との間のギャップを通過して進む。
【０００３】
現代の使い捨て吸収性製品は、トップシート、バックシート、吸収性コア、および１つ以上のカフス、典型的には装着者の脚および／または腰に接触して位置する伸縮性のカフスを有する。これらのカフスは、液体で満たされたオムツからオムツの端に接触する衣類への吸い上げおよび溢れを防止するのに効果的であることを一般的に立証し、それにおいては、伸縮性のカフスがオムツの端と接触する衣類との間にバリアーを与え、一般的には、さらに装着者の脚または腰の周りにガスケット作用を与えて、脚または腰の周りの密閉を維持しキャップの形成を最小にする。しかしながら、伸縮性の部材により生じる力は、狭い領域に沿って集中されて高い局所化された圧力をもたらすので、そのような伸縮性のカフスは、装着者の皮膚に食い込んで跡をつくることの高められた傾向を有する。これらの皮膚への影響は、幼児用および失禁の成人によって装着される製品について特に重大であり、それは、彼らの皮膚の柔軟さ、および僅かな圧力または摩擦作用に対しても、彼らの皮膚が敏感であることに起因する。これらの皮膚への影響は、そのような製品によって引き起こされる皮膚の閉じ込めに起因して、さらに強められる。オムツによる皮膚の閉じ込めは、皮膚の過水和を潜在的に引き起こすおそれがある。結果として、過水和された皮膚は、通常の装着者の動きおよび伸縮性カフスとの接触により引き起こされる摩擦に起因した刺激からのダメージに対して、より敏感である。過水和された皮膚は、皮膚疾患に対してより敏感であることもまた、一般に知られており、それは、オムツかぶれ、紅斑、あせも、炎症、圧力跡（ｐｒｅｓｓｕｒｅ  ｍａｒｋ）、および皮膚のバリア減少を含む。擦り剥けて加水和された皮膚の低減されたバリアの効果的な作用は、オムツかぶれの増加をさらに引き起こすおそれがある。（２１ＣＦＲ§３３３．５０３では、オムツかぶれは、“次の要因；水分、閉じ込め、すりむき、尿または糞便またはその両方との連続した接触、または機械的または化学的刺激、の１つ以上により引き起こされるオムツ領域（会陰、臀部、下腹部、および内腿）の炎症を起こした皮膚の状態”として定義する。）オムツおよび他の吸収性製品を装着することに関連した皮膚疾患の懸念に取り組むために、介護者または装着者は、皮膚保護的および／または治療的製品を臀部、陰部、肛門および／または他の領域に塗布することを、装着者に吸収性製品をつける前にしばしば行なう。この手順は、例えば介護者の手に皮膚保護的製品を塗布し、次いで、装着者の皮膚にそれを塗り付けることを含む。この無駄が多く厄介で時間を要し、かつ忘れ易い手順の必要性を取り除くために、スキンケア物質を製品のトップシートに有する吸収性製品を作製するための多くの予備的な試みがなされてきた。
【０００４】
従来の技術は、改善されたスキンケア効果を、特に使用中にカフスに接触する皮膚の領域に与えるためにカフスの上に配置されたスキンケア組成物を伴なうカフスを有する吸収性製品を提供することによって、カフスを使用することに起因する有害な皮膚への影響にさらに応じてきた。そのようなスキンケア組成物は、これらの皮膚の利益を与えるために装着者の皮膚に移動することができる。特に有用なスキンケア組成物およびその上に配置されたスキンケア組成物を有するカフスを伴なう吸収性製品は、シュルテら（Ｓｃｈｕｌｔｅ，ｅｔ  ａｌ．）の名前で１９９７年１０月３１日に出願された米国特許出願シリアルナンバー０８／９６２，３１０に記載されている。
【０００５】
しかしながら、そのようなスキンケア組成物および吸収性製品は、実質的なスキンケアの利益を与える一方で、さらなる改善が必要とされる。例えば、スキンケア組成物は、吸収性製品中のカフスの機能を妨げないことが重要である。しかしながら、スキンケア組成物の油性成分は、カフスの身体側面から内側の面に広がって、ここで、そのような成分は、カフスを組み立てるために用いられた組み合わせ用（ｃｏｎｓｔｒｕｃｔｉｏｎ）接着剤と接触する。そのような接触が生じると、油性成分は接着剤を可塑化して、その中に弾性率の低減を引き起こし、カフス内の伸縮性部材の収縮力に起因したクリープ化をもたらす。そのようなクリープ化は、カフス材料および伸縮性部材の分離を最終的に引き起こすおそれがあり、収縮力の損失およびカフスの周りでの漏れの増加を結果としてともなう。
【０００６】
従来は、前述の米国特許出願シリアルナンバー０８／９６２，３１０まで、スキンケア組成物を吸収性製品内のカフスに塗布することの有用性を認識するのが損なわれている一方で、吸収性製品のための構成用接着剤と局所的に適用されるローションまたは軟膏との間の相互作用が認識されてきた。例えば、ザチャリアスら（Ｚａｃｈａｒｉａｓ，ｅｔ  ａｌ．）の名前で１９９７年１０月２３日に公開されたＰＣＴ出願シリアルナンバーＷＯ９７／３８７３９には、接着剤を用いて組み合わされて、所望の耐油性および加工特性を有する伸縮性複合体が記載されている。接着剤を用いて第一の基材が第二の基材に取り付けられた、２つの基材を含む伸縮性複合体がクレームされており、その接着剤は、市販のベイビーローションに曝す前後で最小の動的弾性係数（ｄｙｎａｍｉｃ  ｅｌａｓｔｉｃ  ｍｏｄｕｌｕｓ）を有し、第一の温度において最大の粘度を有し、第二の低い温度において最小の粘度を有する。そのような接着剤を用いて得られた伸縮性の複合体は、吸収性製品が装着される比較的短い時間曝される（例えば、オムツは典型的に約３時間装着される）間は、局所的に塗布されたローションの油性成分に対して改善された耐性を有するものの、改善が必要とされる。例えば、典型的なグルースプレー装置で使用するのに十分に低い接着剤粘度を達成するのに必要とされる温度は、吸収性製品の温度に敏感な構成成分（例えば、バックシート用に用いられる低基準重量フィルム）を用いるには、接着剤温度が高くなりすぎることを引き起こすかもしれない。
【０００７】
【発明が解決しようとする課題】
したがって、吸収性製品用の改善された構成接着剤の必要性が存在する。具体的には、その上に配置されたスキンケア組成物を有する吸収性製品の組み立てのための、スキンケア組成物の油性成分に対して改善された耐性を有する接着剤、およびそのような吸収性製品の構成成分として使用される材料の選択、および吸収性製品の組み立てにおける接着剤を塗布する際にプロセスフレキシビリティを過度に制限しない接着剤についての必要性が存在する。これらおよび他の目的は、以下に説明される本発明によって取り組まれる。
【０００８】
【課題を解決するための手段】
本発明は、カフスの身体側面に配置された（塗布またはそれに移動可能に）スキンケア組成物を伴なう１つ以上のカフスを有する、使い捨てオムツのような吸収性製品に関する。具体的には本発明は、そのようなスキンケア組成物の処方に用いられる油性成分に対して耐性を有する接着剤を用いて組み立てられた吸収性製品、特にそのカフスに関する。
【０００９】
本明細書において用いられる際、“カフス”という用語は、バリアーカフス、ガスケットカフス、それらの組み合わせおよび変形を含むレッグカフス；横断バリアーおよびポケット／スペーサー；サイドパネルと同様に、ウエストフラップ、ウエストバンド、ウエストキャップ、および単一のウエストキャップ／ウエストバンド；およびこれらのカフスの全てまたはいくつかの組み合わせを含む。
【００１０】
【発明の実施の形態】
本明細書において用いられる際、“含む”という用語は、種々の構成要素、成分、または工程が本発明の実施に共同して用い得ることを意味する。したがって、“含む”という用語は、比較的制限された用語である“から実質的になる”および“からなる”を包含する。
【００１１】
本明細書において用いられる際、“スキンケア組成物”という用語は、１種以上の成分を含有して、製品から装着者の皮膚に移動した際には、治療的および／または保護的な皮膚利益を与える任意の組成物をさす。代表的な材料は、以下に詳細に説明される。
【００１２】
本明細書において用いられる全てのパーセンテージ、比および割合は、特に断らない限り重量で表わされる。
【００１３】
Ａ．吸収性製品
本明細書において用いられる際、“吸収性製品”という用語は、身体放出物を吸収して収容するデバイスをさし、より具体的には、装着者の皮膚に押し付けて配置され、身体から放出される種々の放出物を吸収して収容するデバイスをさす。“使い捨て”という用語は、ここで用いられる際、一回の使用後には洗濯されること、または吸収性製品として再保管または再使用されることが意図されない吸収性製品を表わす。使い捨て吸収性製品の例は、生理用パンティ、生理用ナプキンおよびパンティライナーのような女性用衛生用品；ブリーフまたは下着のような失禁用製品；オムツホルダー；オムツインサート；引き上げてはく（ｐｕｌｌ−ｏｎ）オムツおよび幼児のしつけ用ズボン（ｔｒａｉｎｉｎｇ  ｐａｎｔｓ）などのようなものを含む。
【００１４】
使い捨て吸収性製品は、液体透過性のトップシートおよびトップシートに接続された液体不浸透性のバックシートを含む外側カバー層と、外側カバー層の中に入れられた、好ましくはトップシートとバックシートとの間に位置する吸収性コアとを含むシャーシを典型的に含む。使い捨て吸収性製品およびその構成要素は、それはトップシート、バックシート、吸収性コア、およびこれらの構成要素の任意の個々の層を含むが、身体側面と衣類側面と一般的に称される２つの主な表面（第一の面および第二の面）を有する。本明細書において用いられる際、“身体側面”（身体接触面または皮膚接触面とも称される）は、装着者の身体に向けてまたは隣接してつけられることが意図される製品または構成要素の面を意味し、一方、“衣類側面”は、使い捨て吸収性製品が装着された際に、装着者から離れた対向する側にあり、装着者の衣類に向いて位置する。
【００１５】
以下の記述は、使い捨て吸収性製品に有用な吸収性コア、トップシート、およびバックシートの材料を一般的に説明する。この一般的な説明は、図１〜４に示されて以下にさらに説明される特定の吸収性製品のこれらの構成要素に、さらに加えて、広くここに説明される他の使い捨て吸収性製品のものに当てはまることが理解されるべきである。
【００１６】
一般的に、吸収性コアは液体（例えば、月経血、尿、および／または他の身体放出物）を吸収して保持することができる。吸収性コアは、好ましくは圧縮可能で、従順であって、装着者の皮膚に対して刺激がない。吸収性コアは、種々の広い範囲のサイズおよび形状（例えば、矩形、楕円形、砂時計状、“Ｔ”字状、ドッグボーン状、対称、非対称等）とすることができる。本発明の吸収性複合体に加えて、吸収性コアは、吸収性製品に通常用いられる広い範囲の液体吸収性材料、粉砕された木質パルプのようなものを含むことができ、それは一般にエアフェルト（ａｉｒｆｅｌｔ）と称される。吸収性コアでの使用のための他の適切な吸収性材料の例は、クレープ化されたセルロースワッディング；コフォーム（ｃｏｆｏｒｍ）を含む溶融ブローされた（ｍｅｌｔｂｌｏｗｎ）ポリマー；化学的に強化され、改質または架橋されたセルロース系繊維；クリンプ化されたポリエステル繊維のような合成繊維；ピートモス；テッシューラップおよびテッシューラミネートを含むテッシュー；吸収性発泡体；吸収性スポンジ；超吸収体ポリマー；吸収性ゲル化材料；または任意の同等の材料または材料の組み合わせ、またはそれらの混合物を含む。
【００１７】
吸収性コアの形状および構成もまた、変化させることができる（例えば、吸収性コアは、変化したキャリパー領域を有するおよび／または中央部でより厚いようなプロファイル、親水性勾配；吸収性複合体の勾配、例えば超吸収体勾配；より低い平均密度およびより低平均基準重量の領域、例えば捕捉領域を有することができ；あるいは１つ以上の層または構造を有することができる）。吸収性コアの全吸収容量は、しかしながら、吸収性製品の設計溜め、および意図される用途に適合するべきである。さらに、吸収性コアのサイズおよび吸収容量は、オムツ、失禁用パッド、幼児のしつけ用ズボン、パンティライナー、レギュラーサイズの生理用ナプキン、および夜用生理用ナプキンのような異なる用途に適合して、および幼児から成人の範囲の装着者に適応するために、変化させることができる。
【００１８】
吸収性コアは、吸収性製品にしばしば用いられる他の吸収性成分を含むことができ、例えば、ダスティング層、吸い上げまたは捕捉層（サージ処理層）、または装着者の安心感を高めるための二次的なトップシートである。
【００１９】
トップシートは、好ましくは形状合致性でソフトな感触であり、装着者の皮膚に対して刺激がない。さらにトップシートは、液体透過性であって、少なくともある領域においては、その厚さを通して液体（例えば、月経血および／または尿）が容易に浸透するのを可能とする。適切なトップシートは、織布および不織布材料（例えば、繊維の不織布ウェブ）のような広い範囲の材料から製造することができ、孔あき不織布；孔あき成形熱可塑性フィルム、孔あきプラスチックフィルム、および油圧成形された熱可塑性フィルムのようなポリマー材料；多孔質発泡体；網状発泡体；網状熱可塑性フィルム；および熱可塑性スクリムを含む。適切な織布および不織布材料は、天然繊維（例えば、木質または綿繊維）、合成繊維（例えば、ポリエステル、ポリプロピレン、またはポリエチレン繊維のようなポリマー繊維）、二成分繊維から構成することができ、または天然および合成繊維の組み合わせから得られる。トップシートが不織布ウェブを含む場合、ウェブは多くの公知の技術により製造することができる。例えば、ウェブは、スピン結合、カード、湿式敷設（ｗｅｔ−ｌａｉｄ）、溶融ブロー（ｍｅｌｔ−ｂｌｏｗｎ）、水中からみ合い（ｈｙｄｒｏｅｎｔａｎｇｌｅｄ）、水中成形（ｈｙｄｒｏｆｏｒｍｅｄ）、水中孔あけ（ｈｙｄｒｏａｐｅｒｔｕｒｅｄ）、上述の組み合わせなどを行なうことができる。
【００２０】
バックシートは、少なくとも吸収性製品の股部領域において液体（例えば、月経血および／または尿）に対して不浸透性であり、好ましくは薄いプラスチックフィルムから作製されるが、他のフレキシブルな液体不浸透性材料もまた用いることができる。本明細書において用いられる際、“フレキシブル”という用語は、形状合致性であって人体の全体的形状および輪郭に容易に合致する材料をさす。バックシートは、吸収性コアに吸収されて収容された放出物が、ベッドシート、パンツ、パジャマおよび下着のような吸収性製品に接触している製品をぬらすのを防止する。バックシートは、織布または不織布材料、ポリエチレンまたはポリプロピレンの熱可塑性フィルムのようなポリマーフィルム、またはコートされた不織布またはフィルムコートされた不織布材料のような複合材料を含むことができる。適切なバックシートは、約０．０１２ｍｍ（０．５ｍｉｌ）から約０．０５１ｍｍ（２．０ｍｉｌｓ）の厚さを有するポリエチレンフィルムである。代表的なポリエチレンフィルムは、シンシナティ、オハイオのクロペイ社（Ｃｌｏｐａｙ  Ｃｏｒｐｏｒａｔｉｏｎ）からＰ１８−１４０１の商品名で、およびテラハウテ（Ｔｅｒｒｅ  Ｈａｕｔｅ）、インディアナのトレデガーフィルムプロダクツ（Ｔｒｅｄｅｇａｒ  Ｆｉｌｍ  Ｐｒｏｄｕｃｔｓ）によりＸＰ−３９３８５の商品名で製造されている。バックシートは、好ましくは、より布的な外観を付与するためにエンボス加工および／またはマット仕上げされる。さらにバックシートは、吸収性コアから蒸気を放散するのを許す（すなわち、バックシートは呼吸性である）一方で、放出物がバックシートを通過するのを防止する。（ここでの使用に適切な呼吸性のバックシートの例は、ドブリン（Ｄｏｂｒｉｎ）、デイビス（Ｄａｖｉｓ）およびウェイリッヒ（Ｗｅｉｒｉｃｈ）に１９９６年１１月５日に発行された米国特許第５，５７１，０９６号に記載されている。この文献は、参照として取り込まれて本明細書を構成する。）バックシートのサイズは、吸収性コアおよび選ばれた実際の吸収性製品のサイズにより左右される。
【００２１】
バックシートおよびトップシートは、吸収性コアの衣類側面および身体側面にそれぞれ隣接しておかれる。吸収性コアは、好ましくは、トップシート、バックシート、またはその両方に、従来よく知られているような取り付け手段によって、知られているような手法で接続される。しかしながら、本発明の態様は、吸収性コアの部分が、トップシート、バックシート、またはその両方のいずれにも取り付けられない態様が考えられる。
【００２２】
バックシートおよび／またはトップシートは、例えば、接着剤の均一な連続層、接着剤のパターン化された層、または接着剤の分離した線、螺旋または点の配列によって吸収性コアに、または互いにしっかりと取り付けることができる。油性成分に曝されることが最小である吸収性コアへのトップシートまたはバックシートの接続のような適用のために満足であることが見出された接着剤は、セントポール、ミネソタのエイチビーフラー社（Ｈ．Ｂ．Ｆｕｌｌｅｒ  Ｃｏｍｐａｎｙ）により製造されＨＬ−１３５８として市販されている。適切な耐油性接着剤は、以下のパートＣにおいて詳細に説明する。取り付け手段は、好ましくは接着剤のフィラメントのまばらなパターンネットワークを含み、１９８６年３月４日にミネトーラら（Ｍｉｎｅｔｏｌａ  ｅｔ  ａｌ．）に発行された米国特許第４，５７３，９８６号に記載されているようなものである。この文献は、参照として取り込まれて本明細書を構成する。フィラメントのまばらなパターンネットワークの代表的な取り付け手段は、螺旋パターンに巻かれた接着剤フィラメントのいくつかの線を含み、それは、１９７５年１０月７日にスパーグジュニア（Ｓｐｒａｇｕｅ，Ｊｒ．）に発行された米国特許第３，９１１，１７３号；１９７８年１１月２２日にツウィーカーら（Ｚｗｉｅｋｅｒ  ｅｔ  ａｌ．）に発行された米国特許第４，７８５，９９６号；および１９８９年６月２７日にウェレニッツ（Ｗｅｒｅｎｉｃｚ）に発行された米国特許第４，８４２，６６６号に示されている装置および方法により説明されるようなものである。これらの特許のそれぞれは、参照として取り込まれて本明細書を構成する。あるいは、取り付け手段は、熱的結合、圧力結合、超音波結合、ダイナミックメカニカル結合（ｄｙｎａｍｉｃ  ｍｅｃｈｃａｎｉｃａｌ  ｂｏｎｄｓ）、または他の任意の取り付け手段、または従来知られているようなこれらの取り付け手段の組み合わせを含むことができる。
【００２３】
本発明の“処理されたカフス”（“処理されたカフス”は、本明細書においては、その上に配置された１種以上のスキンケア組成物を有するカフスをさすために用いられる）を用いることができる好ましい使い捨て吸収性製品は、オムツである。本明細書において用いられる際、“オムツ”という用語は、幼児および失禁の患者により一般に装着され、装着者の胴体の下部の周りに装着される吸収性製品をさす。言い換えれば、“オムツ”という用語は、幼児用オムツ、幼児のしつけ用ズボン、成人の失禁用デバイスなどのようなものを含む。本発明はまた、カフスを含む生理用ナプキンおよびパンティライナーのような他のタイプの使い捨て吸収性製品に適用することもできる。
【００２４】
図１は、本発明のオムツ２０好ましい態様の平坦な収縮されない状態（すなわち、収縮を引き起こす伸縮材が引っ張られている）における平面図であり、オムツ２０の構成をより明確に示すために切り取られた構造の部分と、装着者に接触する（身体側面）観測者側に向いたオムツ２０の部分とを含む。図１に示されるように、オムツ２０は、フロントウエスト領域２２、バックウエスト領域２４、股部領域２６、および長手端が３０で表され、端部端が３２で示されるオムツの外側端によって画定される周縁をもって図１に示されている。オムツ２０は、３４で表わされる横中心線と、３６で表わされる長手中心線とをさらに有する。オムツ２０は、（ｉ）液体透過性トップシート３８および液体不透過性バックシート４２を含む外側カバー層と、（ii）横端４６を有する吸収性コア４４とを含むシャーシ；好ましくは一対のテープタブ留め具５４およびランディング部材５５を含む固定システム；サイドフラップ５８およびフラップ伸縮性部材６０をそれぞれ含むガスケットカフス５６；近接端６４と遠方端６６と端部７４とを有するバリアーカフス部材６３を含むバリアーカフス６２；および遠方端６６をトップシートから離すための間隔伸縮性スペーサー７６のような間隔手段とを含む。オムツ２０は、それぞれのバリアーカフス６２の端部７４が閉鎖されるのを保証するための閉鎖部材７８さらに含む。オムツの構成要素は、種々のよく知られた形状に組み合わせることができるが、好ましいオムツ形状は、１９８７年９月２２日にローソン（Ｌａｗｓｏｎ）に発行された米国特許第４，６９５，２７８号に記載されている。この文献は、参照として取り込まれて本明細書を構成する。
【００２５】
図１は、トップシート３８およびバックシート４２が、吸収性コア４４のものより全体的に大きな長さおよび幅寸法を有するオムツ２０の好ましい態様を示す。トップシート３８は、バックシート４２に接合されてその上に重ねられ、それによってオムツ２０の周縁を形成する。
【００２６】
オムツ２０は、フロントおよびバックウエスト領域２２および２４を有し、薄と領域は、それぞれ周縁の端部端３２からオムツ２０の横中心線３４に向かって広がる。ウエスト領域は、装着された際に装着者の腰を取り囲むオムツ２０の部分を含む。股部領域２６は、ウエスト領域の間のオムツ２０の部分であり、装着されたときに装着者の脚の間に位置して、装着者の下部の胴体を覆うオムツ２０の部分を含む。
【００２７】
図１に示されるように、スキンケア組成物７２は、それぞれのバリアーカフス６２の上に配置される。スキンケア組成物７２は、好ましくは、使用中に装着者の皮膚にスキンケア組成物が容易に移動できるように、バリアーカフスの身体面に配置される。図示される態様においては、スキンケア組成物７２は、遠方端６６に隣り合って、好ましくは少なくとも股部領域２６内に配置される。スキンケア組成物７２は、遠方端６６の上に配置されることがより好ましい。バリアーカフス６２は、その上に配置されたスキンケア組成物の１つ以上の縞を含むことが最も好ましい。図示される態様において、スキンケア組成物７２は、バリアーカフス６２の部分の上のみに配置される。ある種のスキンケア組成物については、間隔伸縮性部材の端部に隣接するバリアーカフスの部分へのスキンケア組成物の塗布を避けて、スキンケア組成物と接着剤との相互作用に起因した伸縮性のクリープが全く生じないのを保証するのが好ましい。図１に示されるように、好ましい態様において、スキンケア組成物７２は、フロントウエスト領域における間隔伸縮性部材７６の端に隣接して配置されない（あるいは、バックウエスト領域内の端部に隣接して配置されないとすることもできるが）。本明細書におい述べられる際、スキンケア組成物は、バリアーカフスの衣類側面に塗布して、バリアーカフスの疎水性を高めるために身体側面に“それを通して移動可能に”とすることができ、あるいは、スキンケア利点を与えるために身体側面に配置することも同様にできる。さらに、スキンケア組成物は、バリアーカフスの他の部分、バリアーカフス全体、間隔伸縮性部材、またはバリアーカフスの任意の他の構成要素に塗布することができる。スキンケア組成物は、任意のパターンで配置することもでき、不連続なまたは連続したパターン、あるいは以下に説明するような任意の量とすることができる。
【００２８】
オムツ２０は、衣類側面８６と衣類側面８６に対向する身体側面８４とをもって図２に示される。オムツ２０の身体側面８４は、使用中に装着者の身体に隣接して位置するオムツ２０の部分である（すなわち、身体側面８４は、トップシート３８の少なくとも一部と、トップシート３８に接合される他の構成要素とによって、一般的に形成される）。衣類側面８６は、使用中に装着者の身体から離れて位置するオムツ２０の部分を含む（すなわち、衣類側面８６は、バックシート４２の少なくとも一部と、バックシート４２に接合される他の構成要素とによって、一般的に形成される）。
【００２９】
図２は、図１の線２−２に沿った部分断面図であり、オムツ２０のバックウエスト領域２４におけるオムツの構成を示す。（フロントウエスト領域２２におけるオムツ構成は、バックウエスト領域２４における構成と実質的に同一であることが理解されるべきである。）吸収性コアは吸収性層４８を含み、それはテッシュー層５０および５２により完全に包まれた状態で示される。吸収性コア４４は、トップシート３８とバックシート４２との間に位置し；トップシート３８およびバックシート４２の両方は、吸収性コア４２の横端４６を越えてサイドフラップ５８を画定する。トップシート３８およびバックシート４４の並置された領域は、好ましくは、接着剤のようなフラップ取り付け手段８８によりしっかりと一体化される。好ましい態様において、フラップ伸縮性部材は、バックウエスト領域２４の中に広がらず、この領域内にガスケットカフスが形成されない。バリアーカフス６２は、トップシート３８にしっかりと固定された別個の部材であるバリアーカフス部材６３を含むとして示され；近接端６４は、近接固定部材９２によりトップシート３８にバリアーカフス部材６３をしっかりと固定することによって形成される。バリアーカフス６２の衣類側面６８（バリアーカフスの中央寄りの面としても称される）は、閉鎖部材７８によって身体側面４０にしっかりと固定される。それゆえ、遠方端６６は閉鎖される。（すなわち、それは身体側面４０から間隔をあけて離れない）。遠方端６６はウエスト領域内において身体側面４０から離れて間隔を空けて配置されないので、間隔伸縮性部材は、この領域に配置されないことが理解されるべきである。それゆえ、バリアーカフス６２は開放されず、この領域内において身体放出物の流れを容易に閉じ込めない。スキンケア組成物はまた、好ましいこの態様において、バックウエスト領域内のバリアーカフスの上に配置されないことが好ましい。
【００３０】
図３は、図１の線３−３に沿った部分断面図であり、装着者に適応される前の形状として股部領域２６におけるオムツの構成を示す（すなわち、オムツ２０は伸縮性の収縮に曝されている）。吸収性コア４４は、吸収性層４８を含み、それは、テッシュー層５０および５２により完全に包まれた状態として示されている。吸収性コア４４は、トップシート３８とバックシート４２との間に配置され；トップシート３８およびバックシート４２の両方は、吸収性コア４４の横端４６を越えて広がってサイドフラップ５８を画定する。トップシート３８およびバックシート４２の並置された領域は、接着剤のようなフラップ取り付け手段８８により、好ましくはしっかりと互いに固定される。トップシート３８およびバックシート４２はまた、長手端３０に隣接したフラップ伸縮性部材６０を取り囲む。フラップ伸縮性部材６０は、好ましくは伸縮性取り付け手段９０によって、トップシート−バックシートで形成されたサイドフラップ５８内にしっかりと固定される。伸縮的に収縮性のガスケットカフス５６は、それによって、サイドフラップ５８およびフラップ伸縮性部材６０により形成される。ガスケットカフスは、オムツが装着された際に装着者の皮膚に向いておかれる身体側面５７と、身体側面５７に対向する衣類側面５９とを有する。バリアーカフス６２は、別個の部材、バリアーカフス部材６３をトップシート３８に、好ましくはフラップ伸縮性部材６０と吸収性コア４４の横端４６との間にしっかりと固定することにより形成されるとして示される。バリアーカフス６２の近接端６４は、バリアーカフス部材６３を近接固定部材９２によりトップシート３８にしっかりと固定することによって形成される。間隔伸縮性部材７６は、バリアーカフス部材６３の端をそれ自体の上に折り返したときに形成されるトンネルの中に囲まれ；間隔伸縮性部材７６は、間隔伸縮性取り付け部材９４によってトンネルの中にしっかりと固定される。バリアーカフスの遠方端６６は、間隔伸縮性部材７６の伸縮性の引き寄せ作用によって身体側表面４０から離れておかれる。バリアーカフス６２は、まさに抑制しようとして示され、オムツ２０が装着者から取り除かれるまで、身体放出物を収容して保持する。スキンケア組成物７２は、スキンケア組成物７２が使用中に装着者の皮膚に移動できるように、バリアーカフス６２（バリアーカフス部材６３）の身体側面７０に配置されているとして図３に示される。
【００３１】
本発明のオムツは、多くのよく知られた形状を有することができ、その吸収性コアは、本発明に適用することができる。典型的な形状は、１９７５年１月１４日にビューエル（Ｂｕｅｌｌ）に発行された米国特許第３，８６０，００３号；１９９２年９月２９日にビューエルら（Ｂｕｅｌｌ  ｅｔ  ａｌ．）に発行された米国特許第５，１５１，０９２号；１９９６年１２月３日にネーザ（Ｎｅａｓｅ）に発行された米国特許第５，５８０，４１１号；１９９６年１０月２９日にローら（Ｒｏｅ  ｅｔ  ａｌ．）に発行された米国特許第５，５６９，２３２号；および１９９６年１０月２９日にビューエルら（Ｂｕｅｌｌ  ｅｔ  ａｌ．）に発行された米国特許第５，５６９，２３４号に一般的に記載されている。これらの特許のそれぞれは、取り込まれて本明細書を構成する。
【００３２】
オムツのシャーシは、オムツの本体部分（封じ込めアセンブリー）を含むとして図面に示されている。シャーシは、少なくとも吸収性コアと、好ましくはトップシートおよびバックシートを含む外側カバー層とを有する。吸収性製品が別個のホルダーおよびライナーを含む場合、シャーシは一般的にホルダーおよびライナーを含む（すなわち、シャーシは材料の１つ以上の層を含んでホルダーを画定し、一方ライナーは、トップシート、バックシート、および吸収性コアのような吸収性複合体を含む）。単一の吸収性製品について、シャーシは、オムツの主構造体を含み、複合オムツ構造体を形成するために加えられた他の部材（ｆｅａｔｕｒｅ）を伴なう；したがって、オムツ用のシャーシは、トップシート、バックシート、および吸収性コアを含む。
【００３３】
オムツ２０における使用のために特に適切なトップシート３８は、織物業界の当業者によく知られた方法によって、カードまたは熱的に結合される。本発明に満足のいくトップシートは、約２．２のデニールを有するステープル長ポリプロピレン繊維を含む。ここで用いられる際、“ステープル繊維長”という用語は、少なくとも約１５．９ｍｍ（０．６２５インチ）の長さを有する繊維をさす。好ましくは、トップシートは、１平方メートル当たり約１４ないし約２５グラムの基準重量を有する。適切なトップシートは、ワルポール、マサチューセッツのヴェラテック社（Ｖｅｒａｔｅｃ，Ｉｎｃ．，ａ  Ｄｉｖｉｓｉｏｎ  ｏｆ  Ｉｎｔｅｒｎａｔｉｏｎａｌ  Ｐａｐｅｒ  Ｃｏｍｐａｎｙ）によりＰ−８の商品名で製造されている。代わりの好ましいトップシートは、１平方メートル当たり２２グラムの基準重量を有するスピンボンドされた不織布ウェブであり、シンプソンヴィーレ、サウスカロライナのファイバーウェブノースアメリカ社（Ｆｉｂｅｒｗｅｂ  Ｎｏｒｔｈ  Ａｍｅｒｉｃａ，Ｉｎｃ．）から商品名９６９４として市販されているようなものである。
【００３４】
オムツ２０のトップシート３８は、トップシートを通る液体（例えば、尿）の迅速な移動を促進するために親水性の材料で作製されることが好ましい。トップシートが疎水性の材料で作製される場合には、液体がより迅速にトップシートを通過するように、好ましくは少なくともトップシートの上側面またはその一部は親水性となるように処理される。これは、身体の放出物がトップシートを通って引き出されて吸収性コアにより吸収されないでトップシートから溢れて流れ出るおそれを低減する。トップシートは、界面活性剤での処理によって親水性の傾向とすることができる。界面活性剤によりトップシートを処理するための適切な方法は、界面活性剤をトップシート材料にスプレーすること、および界面活性剤の中に材料を浸漬することを含む。そのような処理および親水性化のより詳細な説明は、１９９１年１月２９日にライジッヒら（Ｒｅｉｓｉｎｇ，ｅｔ  ａｌ．）に発行された米国特許第４，９８８，３４４号、および１９９１年１月２９日にライジッヒ（Ｒｅｉｓｉｎｇ）に発行された米国特許第４，９８８，３４５号に記載されており、これらは参照として取り込まれて本明細書を構成する。
【００３５】
ここに述べられているような特に好ましい態様において、吸収性製品のトップシートは、その上に配置されたスキンケア組成物を有するであろう。代表的な処理されたトップシートは、１９９７年７月１日にロー（Ｒｏｅ）、ベイクス（Ｂａｋｅｓ）およびワーナー（Ｗａｒｎｅｒ）に発行された米国特許第５，６４３，５８８号；および１９９７年６月３日にロー（Ｒｏｅ）およびマッキー（Ｍａｃｋｅｙ）に発行された米国特許第５，６３５，１９１号に記載されており、これらのそれぞれは、参照として取り込まれて本明細書を構成する。そのように処理されたトップシートを有する吸収性製品の繰り返しの使用によってスキンケア組成物を運ぶための方法は、１９９７年９月１０日に出願されたエルダーら（Ｅｌｄｅｒ，ｅｔ  ａｌ．）の米国特許出願シリアルナンバー０８／９２６，５３２号；１９９７年９月１０日に出願されたヴァンリジウィックら（Ｖａｎ  Ｒｉｊｓｗｉｊｃｋ，ｅｔ  ａｌ．）の米国特許出願シリアルナンバー０８／９２６，９２６，５３３号；および１９９７年８月８日に出願されたローら（Ｒｏｅ，ｅｔ  ａｌ．）の米国特許出願シリアルナンバー０８／９０８，８５２号に記載されており；これらの特許のそれぞれは、参照として取り込まれて本明細書を構成する。ここに述べられるように、カフスおよびトップシートの両方に配置されたスキンケア組成物は、表面積の点から、カフスのみの処理と比べてより多くの量のスキンケア組成物の皮膚への移動を促進するであろう。さらに、両方の構成要素への塗布は、装着者の与えられた領域へのより多くの量のスキンケア組成物の移動および／または異なる皮膚利益のための異なる処方のスキンケア組成物の移動を与えることができる。
【００３６】
ここに述べられるようなオムツの好ましい態様において、バックシート４２は、吸収性コアを越えてオムツ周縁の全体の周りに広がる、修正された砂時計形状を有する。バックシートは、好ましくは柔らかい布状ウェブのラミネートであり、選択的に孔あけされたポリマー成形フィルムと不織布ウェブとを含む。そのような呼吸性のバックシートは、１９９６年１１月５日にドブリンら（Ｄｏｂｒｉｎ  ｅｔ  ａｌ．）に発行された米国特許第５，５７１，０９６号に記載されており、この特許は参照として取り込まれて本明細書を構成する。
【００３７】
吸収性コア４４は、オムツ２０に適合する任意のサイズまたは形状とすることができる。オムツ２０の一つの好ましい態様は、非対称の修正されたＴ字状コア４４を有し、第１のウエスト領域に耳状の部分を有するが、第２のウエスト領域においては概して矩形状である。本発明の吸収性コアとしての使用のために典型的な吸収性構造体は、１９８６年９月９日にワイスマンら（Ｗｅｉｓｍａｎ  ｅｔ  ａｌ．）に発行された米国特許第４，６１０，６７８号；１９８７年６月１６日にワイスマンら（Ｗｅｉｓｍａｎ  ｅｔ  ａｌ．）に発行された米国特許第４，６７３，４０２号；１９８９年１２月１９日にアングシュタッド（Ａｎｇｓｔａｄｔ）に発行された米国特許第４，８８８，２３１号；１９９５年３月１日に公開されたプロクターアンドギャンブル社（Ｔｈｅ  Ｐｒｏｃｔｅｒ＆Ｇａｍｂｌｅ  Ｃｏｍｐａｎｙ）の欧州特許出願６４０３３０；および１９８９年５月３０日にエールメニィら（Ａｌｅｍａｎｙ  ｅｔ  ａｌ．）に発行された米国特許第４，８３４，７３５号に記載されている。吸収性コアは、吸収性収容コアの上に位置する化学的に強化された繊維の捕捉／分配コアを含む二重コアシステムをさらに含むことができ、それは１９９３年８月１０日にエールメニィら（Ａｌｅｍａｎｙ  ｅｔ  ａｌ．）に発行された米国特許第５，２３４，４２３号；および１９９２年９月１５日にヤング（Ｙｏｕｎｇ）、ラヴォン（Ｌａ  Ｖｏｎ）およびテイラー（Ｔａｙｌｏｒ）に発行された米国特許第５，１４７，３４５号に詳細に記載されているようなものである。これらの全ての特許は、参照として取り込まれて本明細書を構成する。
【００３８】
好ましい態様において、オムツ２０はカフスを含み、そのカフスは、液体および他の身体からの放出物での汚れを改善するためのバリアーカフス６２および／またはガスケットカフス５６を含むレッグカフスをそれぞれ有する。カフスは、液体および他の身体放出物での汚れを改善するために与えられ、多くの異なる形状に構成することができる。オムツ２０はまた、より快適で輪郭に沿ったフィット感、およびオムツ２０のより効果的な使用を与えるために伸縮性のウエスト部材（図示せず）および／または伸縮性のサイドパネル（図示せず）を含むことができる。そのようなカフスもまた、スキンケア組成物で処理することができる。
【００３９】
それぞれのレッグカフスは、脚領域内における身体放出物の漏れを低減するために、いくつかの異なる態様を含むことができる。（レッグカフスは、レッグバンド、サイドフラップ、バリアーカフス、伸縮性レッグカフス、ガスケットカフス、または伸縮性カフスとすることができ、ときどきそのように呼ばれる）。米国特許第３，８６０，００３号には、サイドフラップと１つ以上の伸縮性部材とを有する収縮性の脚開口部を与えて伸縮性のレッグカフス（ガスケットカフス）をもたらした使い捨てオムツが記載されている。この特許は、参照として取り込まれて本明細書を構成する。１９９０年３月２０日にアジズら（Ａｚｉｚ  ｅｔ  ａｌ．）に発行された米国特許第４，９０９，８０３号には、脚部領域の汚れを改善するための“立ち上がった（ｓｔａｎｄ−ｕｐ）”伸縮性フラップ（バリアーカフス）を有する使い捨てオムツが記載されており、この特許は取り込まれて本明細書を構成する。１９８７年９月２２日にローソン（Ｌａｗｓｏｎ）に発行された米国特許第４，６９５，２７８号には、ガスケットカフスおよびバリアーカフスを含む二重カフスを有する使い捨てオムツが記載されており、この文献は取り込まれて本明細書を構成する。それぞれのレッグカフスは、レッグバンド、サイドフラップ、バリアーカフス、または上述した伸縮性カフスの任意のものと同様であるような形状とすることができ、それぞれのレッグカフスは、以下に詳細に説明するようにバリアーカフス６２とガスケットカフス５６とを含むことが好ましい。
【００４０】
それぞれのバリアーカフス６２は、近接端６４、遠方端６６、衣類側面６８（中央寄り面とも称される）、および身体側面７０（外側寄り面とも称される）を有するフレキシブル部材である。衣類側面６８は、オムツの内側に向いておかれ、身体側面７０はオムツが装着された際に装着者の皮膚に向いておかれる。バリアーカフス６２は、ポリプロピレン、ポリエステル、レーヨン、ナイロン、発泡体、不織布、プラスチックフィルム、成形フィルム、および伸縮性フィルムまたは発泡体のような広い種々の材料で作製することができる。バリアーカフスを作製するために多くの作製技術を用いることができる。例えば、バリアーカフス６２は、織布、不織布、スピン接着されたもの、スピン接着−溶融ブロー−スピン接着されたもの、カードされたもの、コートされたもの、ラミネートされたものなどとすることができる。好ましいバリアーカフス６２は、それを不浸透性の傾向にするために、仕上げ材または界面活性材を含有しないポリプロピレン材料を含む。典型的なポリプロピレン繊維不織布材料は、クラウンゼラーバッハ社（Ｃｒｏｗｎ  Ｚｅｌｌｅｒｂａｃｈ  Ｃｏｍｐａｎｙ）によりセレストラ（ＣＥＬＥＳＴＲＡ）として製造されている。特に好ましい不織布材料は、カードされた不織布ウェブであり、ランドシヴィレー、ニュージャージのＰＧＩから６７７００の名称で市販されているようなものである。あるいは、材料は、パイネ、ドイツのコロウィンゲーエムベーハー（Ｃｏｒｏｖｉｎ  ＧｍｂＨ）によりＭＤ３００Ａの名称で供給される不織布ウェブとすることができる。さらに、本発明に用いられる疎水性のスキンケア組成物のために、バリアーカフスは親水性の材料から作製することができ、バリアー特性を高めるために、その上に配置された疎水性スキンケア組成物を有する。
【００４１】
図１および３に示されるように、バリアーカフス６２、特に近接端６４は、長手端３０の中央寄りに隣接して、好ましくはガスケットカフス５６の中央寄りに配置される。“中央寄り”という用語は、オムツの中心線（それぞれ３４または３６）に向いた方向として定義され、それは、特定のガスケットカフスに沿って配置されるオムツのそれぞれの端に平行である。バリアーカフス６２は、ガスケットカフス５６に隣接して配置されて、身体放出物に対するより効果的な二重の制約を与える。バリアーカフス６２は、好ましくはガスケットカフス５６の中央寄りに配置される。それは、放出物、特に容易に吸収されず身体側面４０に沿って漂う傾向を有する軟便物質が、ガスケットカフス５６に接触する前に、バリアーカフス６２に接触するようにするためである。バリアーカフス６２は、より好ましくは、ガスケットカフス５６のフラップ伸縮性部材６０と、オムツ２０の長手中心線３６との間に配置される。最も好ましくは、バリアーカフス６２は、オムツ２０の股部領域２６においてフラップ伸縮性部材６０と吸収性コア４４の横端４６との間に配置される。
【００４２】
近接端６４および遠方端６６は、互いに離れて位置してバリアーカフス６２の幅を画定する。近接および遠方の端６４および６６は、それぞれ平行、非平行、直線的なまたは曲線的な関係とすることができる。さらに、バリアーカフス６２は、円、正方形、長方形または図３に示されるような任意の他の形状を含む種々の異なる断面部分の領域を有することができる。好ましくは、近接端６４は、遠方端６６と間隔を空けて、平行で直線的な関係として、均一な幅を有するバリアーカフス６２を与える。
【００４３】
図２および３に示されるオムツ２０の好ましい態様は、トップシート３８に接続されたバリアーカフス６２を具備する。“接続された”という用語は、オムツ２０にバリアーカフス６２を取り付けるための任意の手段を含み、バリアーカフス６２が、トップシート３８に直接的にまたは間接的に取り付けられた（すなわち、統合された）近接端６４を有する別個の要素である態様、または近接端６４がトップシートの連続した非分割の要素であるように、バリアーカフス６２がトップシート３８と同一の要素または材料から作製された（すなわち、単一の）態様を含む。バリアーカフス６２は、代わりに、サイドフラップ５８、バックシート４２、吸収性コア４４、トップシート３８、またはこれらの任意の組み合わせ、またはオムツ２０の他の要素に接続することができる。好ましいオムツ２０において、バリアーカフス６２は、トップシート３８と統合される。統合バリアーカフス６２は、好ましくは、材料の細片、バリアーカフス部材６３により作製され、それは近接固定部材９２によりトップシートにしっかりと固定され、遠方端６６は、バリアーカフス部材６３の端をそれ自体の上に折り返すことによって形成される。
【００４４】
遠方端６６は、好ましくは近接端６４の中央寄りに配置されて、放出物の流れに対してより効果的なバリアーを与える。遠方端６６は、それが逆になるのを予防するために、閉鎖部材７８によって近接端６４の中央寄りに保たれる。あるいは、遠方端６６は近接端６４に関して他の位置に配置することもできるが、そのような配置は好ましくない。
【００４５】
遠方端６６は、それがトップシート３８の身体側面４０から離れて間隔を空けるように、オムツ２０の少なくとも股部領域２６においては、任意の他の要素に取り付けられないことが好ましい。遠方端６６は、製品の封じ込めを高めるために身体側面４０から間隔を空けて離れて配置されることが好ましい。本明細書において用いられる際、“間隔を空けて”は、遠方端６６が、トップシート３８の身体側面４０に関して１つ以上の位置をとると仮定する態様を含み、トップシート３８の身体側面４０に隣接する位置と仮定することをときどき含む。トップシート３８の身体側面４０までの遠方端６６の距離は、遠方端６６がトップシートからできるだけ遠くに間隔を空けて離れて位置するような（すなわち、伸縮的な収縮位置）場合、遠方端６６からトップシート３８の最近接した部分に延びる線に沿って測定される。
【００４６】
バリアーカフスに加えて、本発明のレッグカフスは、好ましくはガスケットカフス５６をさらに含む。ガスケットカフス５６はオムツ２０の周縁に隣接して配置され、好ましくは、ガスケットカフス５６が装着者の脚に対してオムツを引っ張って保持する傾向を有するように、それぞれの長手端３０に沿って配置される。ガスケットカフス５６は、オムツの分野によく知られているような幾つかの手段の任意を含むことができ、特に好ましいガスケットカフスの構造は、１９７５年１月１４日にビューエル（Ｂｕｅｌｌ）に発行された米国特許第３，８６０，００３号に詳細に記載されているようなフレキシブルサイドフラップ５８とフラップ伸縮性部材６０とを含む。その特許は、参照として取り込まれて本明細書を構成する。さらに、伸縮性のガスケットカフス５６を有する使い捨てオムツを製造するのに適切な方法および装置は、１９７８年３月２８日にビューエル（Ｂｕｅｌｌ）に発行された米国特許第４，０８１，３０１号に記載されており、この特許は参照として取り込まれて本明細書を構成する。
【００４７】
フラップ伸縮性部材６０がサイドフラップ５８を集めてガスケットカフス５６を装着者の脚または腰の周りに与えるように、サイドフラップ５８は、非常にフレキシブルで収縮可能とするべきである。サイドフラップ５８は、好ましくは、周縁と吸収性コア４４の端部との間のオムツ２０の部分である。したがって、図１に示されるような本発明の好ましい態様において、サイドフラップ５８は、少なくとも股部領域２６内で、オムツ２０の吸収性コア４４の横端４６から、それに沿って、バックシート４２およびトップシート３８の延長部分から形成される。あるいは、米国特許第３，８６０，００３号に記載されているように、サイドフラップは、シャーシに接続された別個の部材（トップシート、バックシート、および／または吸収性コア）とすることができ、または、サイドフラップの１つ以上の要素は別個の部材であってもよい。
【００４８】
フラップ伸縮性部材６０は、通常の束縛されない形状において、フラップ伸縮性部材６０がサイドフラップ５８を効果的に収縮または集めるために、伸縮的に収縮可能な状態でサイドフラップ５８に作用的に接合（しっかりと固定）される。フラップ伸縮性部材６０は、少なくとも２つの方法で、伸縮的に収縮可能な状態においてサイドフラップ５８にしっかりと固定することができる。例えば、サイドフラップ５８を未収縮の状態としつつ、フラップ伸縮性部材６０をサイドフラップ５８に引っ張って固定することができる。あるいは、フラップ伸縮性部材６０は、緩和されないまたは伸ばされない状態としつつ、サイドフラップ５８は収縮されてもよく、例えば、プリーツをよせること、および収縮されたサイドフラップ５８に取り付けられたフラップ伸縮性部材６０によって収縮させることができる。ガスケットカフスは、あるいは、伸縮的に拡大可能な多くの異なる構造体を含むことができ、伸縮性不織布ウェブまたは発泡体；１９９２年９月２９日にビューエルら（Ｂｕｅｌｌ，ｅｔ  ａｌ．）に発行された米国特許第５，１５１，０９２号（この特許は取り込まれて本明細書を構成する）に記載されているような伸縮性のある積層体；および１９９６年５月２１日にチャペルら（Ｃｈａｐｐｅｌｌ，ｅｔ  ａｌ．）に発行された米国特許第５，５１８，８０１号（この特許は取り込まれて本明細書を構成する）に記載されているような構造化された伸縮性フィルム（ＳＥＬＦ；ｓｔｒｕｃｔｕｒａｌ  ｅｌａｓｔｉｃ−ｌｉｋｅ  ｆｉｌｍ）ウェブとすることができる。
【００４９】
図１に示されるような好ましい態様において、フラップ伸縮性部材６０は、オムツの股部領域２６におけるサイドフラップ５８の長さ全体に実質的に広がる。あるいは、伸縮性部材６０は、オムツの長さ全体にわたって、またはガスケットカフスを与えるために適切な任意の他の長さで広がることができる。フラップ伸縮性部材６０の長さは、オムツのデザインによって左右される。
【００５０】
適切であることが見出されてきた一つのフラップ伸縮性部材６０は、天然ゴムから作製された伸縮性のストランドであり、ステワート、ヴァージニアのイーストハンプトンラバースレッド社（Ｅａｓｔｈａｍｐｔｏｎ  Ｒｕｂｂｅｒ  Ｔｈｒｅａｄ  Ｃｏｍｐａｎｙ）からＬ−１９００ラバーコンパウンド（Ｒｕｂｂｅｒ  Ｃｏｍｐｏｕｎｄ）の登録商標で市販されているようなものである。他の適切なフラップ伸縮性部材６０は、天然ゴムから作製することができ、スコットランド、ノースカロライナのフルフレックス社（Ｆｕｌｆｌｅｘ  Ｃｏｍｐａｎｙ）によりフルフレックス（Ｆｕｌｆｌｅｘ）９２１１の登録商標で市販されている伸縮性テープのようなものである。代表的な伸縮性部材は、ウェイネスボロ、ヴァージニアのデュポン社（ＤｕＰｏｎｔ  Ｃｏ．）からライクラ（Ｌｙｃｒａ）−ＸＡの名称で市販されているようなライクラストランドである。フラップ伸縮性部材６０は、また、従来よく知られているような任意の熱収縮性の伸縮性材料を含んでもよい。他の適切なフラップ伸縮性部材６０は、従来よく知られているような広い範囲の材料を含むことができ、エラストマー性フィルム、ライクラフィルムまたはストランド、ポリウレタンフィルム、エラストマー性発泡体、および成形された伸縮性スクリムを含む。
【００５１】
さらに、フラップ伸縮性部材６０は、多数の形状をとることができる。例えば、フラップ伸縮性部材６０の幅は、約０．２５ｍｍ（０．０１インチ）ないし約２５ｍｍ（１．０インチ）で変化させることができ；フラップ伸縮性部材６０は、伸縮性材料の単一のストランドを含むことができ、または、伸縮性材料の平行なまたは非平行ないくつかのストランドを含むことができる；あるいは、フラップ伸縮性部材６０は、直線的あるいは曲線的とすることができる。またさらに、フラップ伸縮性部材６０は、従来よく知られている幾つかの方法の任意でオムツ２０に固定することができる。例えば、フラップ伸縮性部材６０は、種々の接合パターンを用いてオムツ２０に、超音波的に接続され、熱／圧力シールされる。あるいは、フラップ伸縮性部材６０は、オムツ２０に単に接着剤で接着することもできる。
【００５２】
図３に示されるオムツ２０において、フラップ伸縮性部材６０は、伸縮性取り付け部材９０でサイドフラップ５８にそれをしっかりと固定することによって、サイドフラップ５８と接合される。伸縮性取り付け部材９０は、フラップ伸縮性部材をその伸ばされた状態に保つために、フレキシブルで十分に接着性のものとするべきである。ここでの伸縮性取り付け部材９０は、好ましくは、ホットメルト接着剤から得られたグルービーズまたは螺旋である。フラップ伸縮性部材６０がオムツ２０に配置されて固定される手法のより詳細な説明は、１９８１年３月３日にストリックランド（Ｓｔｒｉｃｋｌａｎｄ）およびヴィッシャー（Ｖｉｓｓｃｈｅｒ）に発行された米国特許第４，２５３，４６１号、および１９７８年３月２８日にビューエル（Ｂｕｅｌｌ）に発行された米国特許第４，０８１，３０１号にみることができ、これらの特許は参照として取り込まれて本明細書を構成する。
【００５３】
同様に、バリアーカフス６２は、別個の要素、バリアーカフス部材６３をトップシート３８に、好ましくはフラップ伸縮性部材６０と吸収性コア４４の横端４６との間でしっかりと固定することによって形成することができる。バリアーカフス６２の近接端６４は、近接固定部材９２によりバリアーカフス部材６３をトップシート３８にしっかりと固定することによって形成される。間隔伸縮性部材７６は、バリアーカフス部材６３の端をそれ自体の上に折り返した際に形成されるトンネルの中に取り囲まれ；間隔伸縮性部材７６は、間隔伸縮性取り付け部材９４によってトンネルの中にしっかりと固定される。
【００５４】
フラップ取り付け部材８８、伸縮性取り付け部材９０、近接固定部材９２、または間隔伸縮性取り付け部材９４の任意または全てとしての使用に適切な耐油性接着材料は、以下のセクションＣで詳細に説明する。
【００５５】
サイドフラップ５８およびバリアーカフス６２に関して上で説明された同様の考察が、オムツ２０の他の構成要素に適用できることを、当業者は理解するであろう。典型的な構成要素（図１〜４には示されていない）は、次のものを含むが限定されない：すなわち、伸縮性ウエスト部材、伸縮性サイドパネル、排泄物を受け取って収容するためのポケット、排泄物のための空間を与えるスペーサー、および排泄物の移動を製品中に制限するバリアーである。そのような構成要素もまた、本発明の目的のためのカフスと考えられる。これらの種々の構成要素は、上述した米国特許出願シリアルナンバー０８／９６２，３１０号に詳細に記載されている。この文献は、参照として取り込まれて本明細書を構成する。
【００５６】
典型的な固定システム５４は、１９８９年７月１１日にスクリップス（Ｓｃｒｉｐｐｓ）に発行された米国特許第４，８４６，８１５号；１９９０年１月１６日にネステガード（Ｎｅｓｔｅｇａｒｄ）に発行された米国特許第４，８９４，０６０号；１９９０年８月７日にバトレール（Ｂａｔｔｒｅｌｌ）に発行された米国特許第４，９４６，５２７号；１９７４年１１月１９日にビューエル（Ｂｕｅｌｌ）に発行された米国特許第３，８４８，５９４号；１９９０年１０月１６日にロバートソンら（Ｒｏｂｅｒｔｓｏｎ  ｅｔ  ａｌ．）に発行された米国特許第４，９６３，１４０号；１９８７年５月５日にヒロツら（Ｈｉｒｏｔｓｕ  ｅｔ  ａｌ．）に発行された米国特許第Ｂ１  ４，６６２，８７５号；および１９９２年９月２９日にビューエル（Ｂｕｅｌｌ）に発行された米国特許第５，１５１，０９２号に記載されている。これらの特許のそれぞれは、参照として取り込まれて本明細書を構成する。スキンケア組成物は、皮膚の健康状態を高めるために固定システムの１つ以上の構成要素に配置することがきる。例えば、ここで述べられるようなスキンケア組成物は、テープタブが皮膚をこすることの影響を軽減するためにテープタブに配置してもよい。
【００５７】
図４は、装着者につける前の伸縮的に収縮された状態におけるオムツ２０の斜視図である。トップシート３８は、オムツ２０の身体側面の部分として示され、バックシート４２は、装着者の身体から離れて位置する。ガスケットカフス５６は、フラップ伸縮性部材（図４には示されていない）により集められて収縮されて示される。オムツ２０は、ガスケットカフス５６の中央よりに隣接して広がる２つのバリアーカフス６２を有するとして示される。遠方端６６は、股部領域において間隔伸縮性部材（図示せず）により集められて収縮されているとして示される。さらに、バリアーカフス６２の端部７４は、装着者に安心感を与えるように、バリアーカフスの反転を防止するため、およびオムツの適用の容易さのために密着してしっかりと固定される。スキンケア組成物７２は、ここで説明される皮膚利益を与えるために、装着者の皮膚に移動するようにそれぞれのバリアーカフス６２の身体側面に配置される（身体側面に塗布される、または身体側面に移動可能に塗布される）。
【００５８】
オムツ２０は、バックウエスト領域２４を装着者の背中の下に配置して、フロントウエスト領域２２がその人の前にわたって位置するように、オムツ２０の残りを装着者の脚の間に引っ張ることによって装着者に適用される。テープタブ固定部材５４の端部は、次いで、ランディング部材５５に好ましくはしっかりと固定されて、オムツ２０は閉鎖される。この手法において、バリアーカフス６２は、装着者の股部領域に配置されるべきであり、すでに説明したような配置および機能を与えるべきである。いったん適用されると、バリアーカフス６２の遠方端６６は、股間の領域にわたって広がって、装着者の両方の臀部に沿って上向きに分かれ出る。バリアーカフス６２のいずれも、装着者の大腿部を取り囲まない。しかしながら、ガスケットカフス５６は、大腿部を取り囲んで大腿部に対してガスケット作用を生じるであろう。バリアーカフス６２は装着者の皮膚に接触して、スキンケア組成物７２をそこに移動させ、ここで説明される皮膚利益のいくらかまたは全てを与える。
【００５９】
本発明の処理されたカフスは、幼児のしつけ用ズボン（ｔｒａｉｎｉｎｇ  ｐａｎｔｓ）または引き上げ（ｐｕｌｌ−ｏｎ）オムツにも有用である。“しつけ用ズボン”という用語は、本明細書において用いられる際、固定された側面を有し、それによって固定されたウエスト開口部および脚開口部を画定する使い捨て衣類をさす。しつけ用ズボンは、脚開口部の中に装着者の脚を挿入し、しつけ用ズボンを装着者の腰の低部の周りに滑らせることによって、装着者の適切な位置に配置される。適切なしつけ用ズボンは、１９９３年９月２１日にハッセら（Ｈａｓｓｅ，ｅｔ  ａｌ．）に発行された米国特許第５，２４６，４３３号；１９９０年７月１０日にヴァンゴンペルら（Ｖａｎ  Ｇｏｍｐｅｌ，ｅｔ  ａｌ．）に発行された米国特許第４，９４０，４６４号；および１９９２年３月３日にノムラら（Ｎｏｍｕｒａ，ｅｔ  ａｌ．）に発行された米国特許第５，０９２，８６１号に記載されており、これらのそれぞれは参照として取り込まれて本明細書を構成する。本発明の処理されたカフスは、また、しつけ用ズボンとオムツ（プルオンオムツ）との組み合わせまたは“ハイブリッド”である吸収性製品に適用することもでき、１９９６年１０月２９日にビューエル（Ｂｕｅｌｌ）およびカーリン（Ｃａｒｌｉｎ）に発行された米国特許第５，５６９，２３４号に記載されているようなものである。その特許は、参照として取り込まれて本明細書を構成する。
【００６０】
本発明の処理されたカフスが有用であるもう一つの使い捨て吸収性製品は、失禁用製品である。“失禁用製品”という用語は、パッド、下着（ベルトなどのようなタイプの吊システムによって適所に配置されるパッド）、吸収性製品用のインサート、吸収性製品用の容量ブースター（ｂｏｏｓｔｅｒ）、ブリーフ、ベッドパッドなどのようなものをさし、成人または他の失禁の人のいずれにより装着されるかに拘らない。適切な失禁用製品は、１９８１年３月３日にストリックランド（Ｓｔｒｉｃｋｌａｎｄ）に発行された米国特許第４，２５３，４６１号；ビューエル（Ｂｕｅｌｌ）に発行された米国特許第４，５９７，７６０号および同４，５９７，７６１号；上述した米国特許第４，７０４，１１５号；エールら（Ａｈｒ，ｅｔ  ａｌ．）に発行された米国特許第４，９０９，８０２号；１９９０年１０月２３日にギプソンら（Ｇｉｐｓｏｎ，ｅｔ  ａｌ．）に発行された米国特許第４，９６４，８６０号；１９９２年７月２３日に公開されたプロクターアンドギャンブル社（Ｐｒｏｃｔｅｒ＆Ｇａｍｂｌｅ  Ｃｏｍｐａｎｙ）のＰＣＴ特許出願Ｎｏ．ＷＯ９２／１１８３０に記載されている；これらの文献のそれぞれは、参照として取り込まれて本明細書を構成する。
【００６１】
本発明のもう一つの使い捨て吸収性製品は、生理用ナプキンのような女性用生成用品である。適切な女性用衛生用品は、１９８５年１２月３日にスワンソンら（Ｓｗａｎｓｏｎ  ｅｔ  ａｌ．）に発行された米国特許第４，５５６，１４６号；１９９３年４月２７日にヴァンティルバーグ（Ｖａｎ  Ｔｉｌｂｕｒｇ）に発行された米国特許第Ｂ１  ４，５８９，８７６号；１９９７年８月１８日にヴァンティルバーグ（Ｖａｎ  Ｔｉｌｂｕｒｇ）に発行された米国特許第４，６８７，４７８号；１９９０年８月２１日にオズボーン（Ｏｓｂｏｒｎ，III）に発行された米国特許第４，９５０，２６４号；１９９１年４月２３日にオズボーン（Ｏｓｂｏｒｎ，III）に発行された米国特許第５，００９，６５３号；１９９３年１２月７日にヴァンティルバーグ（Ｖａｎ  Ｔｉｌｂｕｒｇ）に発行された米国特許第５，２６７，９９２号；１９９５年２月１４日にラヴァッシュら（Ｌａｖａｓｈ  ｅｔ  ａｌ．）に発行された米国特許第５，３８９，０９４号；１９９５年５月９日にロードら（Ｒｏａｄ  ｅｔ  ａｌ．）に発行された米国特許第５，４１３，５６８号；１９９５年１０月２４日にエメネーカーら（Ｅｍｅｎａｋｅｒ  ｅｔ  ａｌ．）に発行された米国特許第５，４６０，６２３号；１９９６年２月６日にヴァンティルバーグ（Ｖａｎ  Ｔｉｌｂｕｒｇ）に発行された米国特許第５，４８９，２８３号；１９９６年１０月２９日にエメネーカーら（Ｅｍｅｎａｋｅｒ  ｅｔ  ａｌ．）に発行された米国特許第５，５６９，２３１号；および１９９７年４月１５日にバンバー（Ｂａｍｂｅｒ）に発行された米国特許第５，６２０，４３０号に記載されている。これらの特許のそれぞれは、参照として取り込まれて本明細書を構成する。
【００６２】
Ｂ．スキンケア組成物
本発明にしたがって運ばれる特別なスキンケア組成物（“スキンケア組成物”および“組成物”と称される）は、所望される皮膚利益を与える重要な要因である一方、スキンケア組成物は、皮膚の過水和および身体放出物中に含まれる物質に皮膚が曝されるのを避けるために保護的で非閉塞作用（例えば、比較的液体不浸透性であるが蒸気透過性のバリアー）；カフスが皮膚に接触する領域内における皮膚の炎症を低減するための摩擦低減作用を与えるべきであり；あるいは、直接的または間接的のいずれかで皮膚利益を果たす薬剤を含有するべきである。例えば、間接的な利点は、糞便または尿のような皮膚の刺激の改善された除去を含む。組成物は、種々の形状とすることができ、エマルジョン、ローション、クリーム、軟膏、膏薬、パウダー、懸濁物、カプセル、ゲルなどのようなものを含むが、限定されない。
【００６３】
本明細書において用いられる際、“効果的な量のスキンケア組成物”という用語は、カフスの身体側面に塗布または移動（“その上に配置される”）されたとき、カフスとカフスが接触する装着者の皮膚の領域内の皮膚との間での摩擦を低減するのに効果的であり、カフスを介して運ばれる際に保護的バリアーおよび／またはスキンケアの利点を与え、および／または皮膚への糞便（ＢＭ）の付着を低減する、特定の組成物の量をさす。特に明示しない限り、カフス上のスキンケア組成物の配置に関する説明は、好ましい態様におけるようなトップシート上に配置される組成物に適用可能である。もちろん、カフス上に配置される組成物の効果的な量は、多くは、用いられる特定のスキンケア組成物に依存する。それにもかかわらず、カフスの身体側面の少なくとも一部に配置されるスキンケア組成物の量は、好ましくは約０．０５ｍｇ／ｉｎ2（０．００７８ｍｇ／ｃｍ2）ないしら約８０ｍｇ／ｉｎ2（１２ｍｇ／ｃｍ2）であり、より好ましくは約１ｍｇ／ｉｎ2（０．１６ｍｇ／ｃｍ2）ないし約４０ｍｇ／ｉｎ2（６ｍｇ／ｃｍ2）であり、さらにより好ましくは約４ｍｇ／ｉｎ2（０．６ｍｇ／ｃｍ2）ないし約２６ｍｇ／ｉｎ2（４ｍｇ／ｃｍ2）の範囲であろう。これらの範囲は例示のためのみであり、組成物の特性は、所望の皮膚利点を達成するためにその上に配置されなければならないレベルを左右すること、およびそのようなレベルは、本発明の開示を鑑みてルーチン的な実験により確認可能であることを、当業者は認識するであろう。
【００６４】
カフスの上に配置されるスキンケア組成物のレベルは、本発明の重要な局面である一方、より重要なのは、１つ以上の処理されたカフスの使用中に装着者の皮膚に運ばれる組成物の量である。所望される皮膚利益を与えるために皮膚に運ばれる必要なレベルは、ある程度までは用いられる組成物の特性に依存するであろうが、所望される皮膚利益を依然として与えつつ比較的低いレベルを移動できることを本出願人は見出した。このことは、例に示されるような好ましい組成物について、特に当てはまる。
【００６５】
本発明のもう一つの利益は、低いが必要とされる組成物の効果的なレベルを運ぶために組成物の制御された塗布である。これは、スキンケア剤の典型的なまばらな手を使った塗布とは対照的であり、この場合は、介護者／使用者は、必要とされるより著しく多くのレベルの材料をしばしば塗布する。手を使って加えられる過剰な材料は、皮膚から製品への移動の結果として吸収性製品の流体処理特性に悪影響を与える。確かに、ワセリンのようなある種の材料については、手を使って塗布されるレベルは、実際に閉塞の影響を実際に引き起こし、それによって皮膚を汚す。本発明の利益は、表面の水分にバリアーを与える一方で、皮膚の閉塞を防止する（すなわち、皮膚の呼吸性を維持する）。したがって、本発明は、組成物の最適なレベルの皮膚への移動を維持することおよび／または皮膚の健康状態を改善することを可能にする。
【００６６】
約３時間の間（典型的な日中の装着時間）に装着される１つの処理された製品の使用中に装着者に移動するスキンケア組成物のレベルに関しては、特に、例１に記載されているような好ましいスキンケア組成物について、好ましくは少なくとも約０．０１ｍｇ／ｉｎ2（０．００１６ｍｇ／ｃｍ2）、より好ましくは少なくとも約０．０５ｍｇ／ｉｎ2（０．００７８ｍｇ／ｃｍ2）、さらにより好ましくは少なくとも約０．１ｍｇ／ｉｎ2（０．０１６ｍｇ／ｃｍ2）の組成物が、３時間の装着期間にわたって皮膚に移動する。典型的に、処理された一つの製品によって移動する組成物の量は、３時間の使用期間の間にわたって、約０．０１ｍｇ／ｉｎ2（０．００１６ｍｇ／ｃｍ2）ないし約８ｍｇ／ｉｎ2（１．２４ｍｇ／ｃｍ2）、より好ましくは約０．０５ｍｇ／ｉｎ2（０．００７８ｍｇ／ｃｍ2）ないし約６ｍｇ／ｉｎ2（０．９３ｍｇ／ｃｍ2）、さらにより好ましくは約０．１ｍｇ／ｉｎ2（０．０１６ｍｇ／ｃｍ2）ないし約５ｍｇ／ｉｎ2（０．７８ｍｇ／ｃｍ2）であろう。
【００６７】
本発明にしたがって皮膚に運ばれるスキンケア組成物に有用な多くの材料が存在することが認識され、安全で効果的なスキンケア剤であると思われてきたそれらは、本発明における使用のために論理にかなった材料である。そのような材料は、アメリカ合衆国連邦食料医薬品局（ＦＤＡ）の“一般市販薬の使用のための皮膚保護薬品における暫定的最終モノグラフ”（Ｔｅｎｔａｔｉｖｅ  Ｆｉｎａｌ  Ｍｏｎｏｇｒａｐｈ  ｏｎ  Ｓｋｉｎ  Ｐｒｏｔｅｃｔａｎｔ  Ｄｒｕｇ  Ｐｒｏｄｕｃｔｓ  ｆｏｒ  Ｏｖｅｒ−ｔｈｅ−Ｃｏｕｎｔｅｒ  Ｈｕｍａｎ  Ｕｓｅ）（２１Ｃ．Ｆ．Ｒ．§３４７）により定義されているようなカテゴリーＩを含み、現在、アラントイン（ａｌａｎｔｏｉｎ）、水酸化アルミニウムゲル、カラミン、カカオ脂、ジメチコン、タラ肝油（組み合わせで）、グリセリン、カオリン、ワセリン、ラノリン、ミネラルオイル、鮫油、白色ワセリン、タルク、トピカルスターチ（ｔｏｐｉｃａｌ  ｓｔａｒｃｈ）、酢酸亜鉛、炭酸亜鉛、酸化亜鉛などのようなものを含む。他の潜在的に有用な材料は、アメリカ合衆国連邦食料医薬品局（ＦＤＡ）の“一般市販薬の使用のための皮膚保護薬品における暫定的最終モノグラフ”（２１Ｃ．Ｆ．Ｒ．§３４７）により定義されているようなカテゴリーIIIを含み、現在、生酵母菌誘導体、アルジオキサ（ａｌｄｉｏｘａ）、酢酸アルミニウム、微孔質セルロース、コレカルシフェロール、コロイダルオートミール、システイン塩酸塩、デキスパンテノール、ペルビアン（Ｐｅｒｕｖｉａｎ）バルサムオイル、プロテイン加水分解物、ラセミックメチオニン（ｒａｃｅｍｉｃ  ｍｅｔｈｉｏｎｉｎｅ）、ビカーボネートナトリウム、ビタミンＡなどのようなものを含む。これらの任意の材料の１種以上は、ここで説明されるような他の成分との組み合わせで使用できることが認識されるであろう。
【００６８】
以下にさらに述べるように、本発明に有用なスキンケア組成物は、必ずしも必要ではないが、室温においては比較的動かず、カフスの装着者接触面（身体側面）に集中されて、体温では組成物の少なくとも一部が装着者に容易に移動することができ、過酷な保存条件のもとでも完全には液体ではないような溶融プロファイルを有することが好ましい。好ましくは、組成物は、通常の接触、装着者の動き、および／または身体の熱によって容易に皮膚に移動することができる。組成物は、カフスの装着者接触面で実質的に移動しないことが好ましいので、比較的低いレベルの組成物が、所望のスキンケア利益を与えるために必要とされる。さらに、特別なバリアーまたは包装材料は、本発明に有用な処理された製品の包装に必要とされないであろう。
【００６９】
好ましい態様において、本発明に有用なスキンケア組成物は、２０℃すなわち室温において固体、または、より多くの場合には半固体である。“半固体”という用語によって、疑似塑性または塑性液体の特色をよく示すレオロジーを有する組成物が意味される。剪断が適用されない場合、組成物は半固体の外観を有することができるが、剪断速度が増加するにしたがって流れることができる。このことは、組成物は主として固体成分を含む一方、それは、少量の液体成分もまた含むという事実に起因する。
【００７０】
好ましくは、本発明の組成物は、約１．０×１０6センチポアズから約１．０×１０8の間のゼロ剪断（ｚｅｒｏ  ｓｈｅａｒ）粘度を有する。より好ましくは、ゼロ剪断粘度は、約５．０×１０6センチポアズないし約５．０×１０7センチポアズの間である。本明細書において用いられる際、“ゼロ剪断粘度”という用語は、プレートアンドコーン（ｐｌａｔｅ  ａｎｄ  ｃｏｎｅ）粘度計（適切な装置は、ニューキャッスル、デラウェアのティーエーインストゥルメンス（ＴＡ  Ｉｎｓｔｒｕｍｅｎｔｓ）からモデルナンバーＣＳＬ  １００として入手可能である）を用いて測定された非常に低い剪断速度（例えば１．０ｓｅｃ-1）において測定された粘度をさす。ゼロ剪断粘度を与えるために高融点成分（以下に示すような）以外の手段を使用できることを、当業者は認識するであろう。典型的な手段は、従来知られているクレイまたは溶融シリカのような成分を用いて降伏価を有する構造体を確立することを含む。ゼロ剪断粘度はまた、そのような組成物について粘度に対する剪断測度のプロットを、約２０℃の温度におけるゼロの剪断速度へ外挿することのような他の手段によって測定することができる。
【００７１】
好ましい組成物は、使用前に吸収性製品内への組成物の移動を最小限にするために、室温において少なくとも半固体である。さらに、組成物は、好ましくは、潜在的な“ストレスの多い（ｓｔｒｅｓｓｆｕｌ）”保存条件を越える最終融点（１００％液体）を有し、それは４５℃（例えば、アリゾナでの倉庫、フロリダでの車のトランクなど）より高くすることができる。具体的には、好ましい組成物は、以下の溶融プロファイルを有するであろう。
【００７２】
【表１】
0004459442.tif 000002
【００７３】
室温で固体または半固体であることによって、好ましい組成物は、それらが適用される製品の望ましくない場所に著しい程度まで流れて移動するという傾向を有しない。このことは、所望される治療的で、保護的なおよび／またはコンディショニングの利点を与えるために、より少ないスキンケア組成物が必要とされることを意味する。
【００７４】
好ましい組成物の不動性を高めるために、処方された組成物の粘度は、カフスからオムツ内の望まれない位置まで流れることを防止できるように、できるだけ高くするべきである。残念なことに、ある場合には、より高い粘度は装着者の皮膚への組成物の移動を妨げて、またはプロセスの問題なしに塗布するのが困難であるかもしれない。それゆえ粘度は、カフスの身体側面に集中する組成物を保つために充分に高いが、装着者の皮膚への移動を妨げるほど高くないように、バランスが達成されるべきである。組成物についての適切な粘度は、回転粘度計（適切な粘度計は、メルローズパーク、イリノイのラブラインインスツルメンツ（Ｌａｂ  Ｌｉｎｅ  Ｉｎｓｔｒｕｍｅｎｔｓ）からモデル（Ｍｏｄｅｌ）４５３７として入手することができる）を用いた６０℃における測定で、典型的には約１ないし約５０００センチポアズ、好ましくは約５ないし約３００センチポアズ、より好ましくは約５ないし約１００センチポアズである。粘度計は、ナンバー２のスピンドルを用いて６０ｒｐｍで操作される。
【００７５】
スキンケア利益を与えるために仕組まれた組成物について、これらの組成物に有用な活性体（ａｃｔｉｖｅ）は、１種またはこれ以上の皮膚保護剤（ｐｒｏｔｅｃｔａｎｔｓ）または軟化剤である。本明細書において用いられる際、“軟化剤”という用語は、ぬれや刺激に対して皮膚を保護し、皮膚を柔軟にし、滑らかにし、和らげ、覆って、潤滑にし、水分を与え、保護するおよび／または清浄にする材料である。（上で列挙されたモノグラフの活性体のいくつかは、本明細書において用いられる用語としての“軟化剤”であることが認識されるであろう）。好ましい態様において、これらの軟化剤は、室温すなわち２０℃において塑性、または液体粘稠度のいずれかを有するであろう。
【００７６】
本発明において有用とされる代表的な軟化剤は、次のものを含むが限定されない：すなわち、鉱油ベースの軟化剤；スクロースエステル脂肪酸；ポリエチレングリコールおよびその誘導体；潤滑剤；脂肪酸エステルタイプ；アルキルエトキシレートタイプ；脂肪酸エステルエトキシレート；脂肪アルコールタイプ；ポリシロキサンタイプ；プロピレングリコールおよびその誘導体；グリセリンおよびその誘導体であり、Ｃ12〜Ｃ28脂肪酸のグリセリド、アセトグリセリド、およびエトキシル化されたグリセリドを含む；トリエチレングリコールおよびその誘導体；鯨ロウまたは他のワックス；脂肪酸；脂肪アルコールエーテル、特にステアリン酸のようにその脂肪鎖に１２ないし２８の炭素原子を有するもの；プロポキシ化された脂肪アルコール；ポリヒドロキシアルコールの他の脂肪エステル；ラノリンおよびその誘導体；カオリンおよびその誘導体；上で列挙されたモノグラフのスキンケア剤の任意のもの；またはこれらの軟化剤の混合物である。
【００７７】
適切な鉱油ベースの軟化剤は、１６ないし３２の炭素原子の鎖長を有する炭化水素、またはこうした炭化水素の混合物を含む。このような鎖長を有する鉱油ベースの炭化水素は、ミネラルオイル（“液体ワセリン”としても知られている）およびワセリン（“ミネラルワックス”、“鉱油ゼリー”および“ミネラルゼリー”としても知られている）を含む。ミネラルオイルは、１６ないし２０の炭素原子を有する炭化水素を含む、粘性のより小さい混合物を通常さす。ワセリンは、１６ないし３２の炭素原子を有する炭化水素を含む、粘性のより大きな混合物を通常さす。ワセリンおよびミネラルオイルは、本発明の組成物のための特に好ましい軟化剤である。
【００７８】
適切な脂肪酸エステルタイプの軟化剤は、Ｃ12〜Ｃ28の脂肪酸、好ましくはＣ16〜Ｃ22の飽和脂肪酸と、短鎖（Ｃ1〜Ｃ8、好ましくはＣ1〜Ｃ3）の一価アルコールとから誘導されたものを含む。そのようなエステルの典型的な例は、パルミチン酸メチル、ステアリン酸メチル、ラウリン酸イソプロピル、ミリスチン酸イソプロピル、パルミチン酸イソプロピル、パルミチン酸エチルヘキシル、およびそれらの混合物を含む。また、適切な脂肪酸エステル軟化剤は、長鎖の脂肪アルコール（Ｃ12〜Ｃ28、好ましくはＣ12〜Ｃ16）と短鎖の脂肪酸、例えば、乳酸とから誘導することができ、乳酸ラウリルおよび乳酸セチルのようなものである。
【００７９】
適切なアルキルエトキシレートタイプの軟化剤は、約２ないし約３０の平均エトキシ化度を有するＣ12〜Ｃ22の脂肪アルコールエトキシレートを含む。好ましくは、脂肪アルコールエトキシレート軟化剤は、ラウリル、セチル、およびステアリルエトキシレート、およびその混合物からなる群から選択され、約２ないし約２３の範囲の平均エトキシ化度を有する。そのようなアルキルエトキシレートの典型的な例は、ラウレース（ｌａｕｒｅｔｈ）−３（３の平均エトキシ化度を有するラウリルエトキシレート）、ラウレース−２３（２３の平均エトキシ化度を有するラウリルエトキシレート）、セテース（ｃｅｔｅｔｈ）−１０（１０の平均エトキシ化度を有するセチルアルコールエトキシレート）およびステアレース（ｓｔｅａｒｅｔｈ）−１０（１０の平均エトキシ化度を有するステアリルアルコールエトキシレート）を含む。用いられる場合、これらのアルキルエトキシレート軟化剤は、ワセリンのような鉱油ベースの軟化剤と組み合わせて典型的に用いられ、鉱油ベースの軟化剤に対するアルキルエトキシレート軟化剤の重量比は、約１：１ないし約１：５であり、好ましくは約１：２ないし約１：４である。
【００８０】
適切な脂肪アルコールタイプの軟化剤は、Ｃ12〜Ｃ22の脂肪アルコール、好ましくはＣ16〜Ｃ18の脂肪アルコールを含む。典型的な例は、セチルアルコールおよびステアリルアルコール、およびそれらの混合物を含む。用いられる場合、これらの脂肪アルコール軟化剤は、ワセリンのような鉱油ベースの軟化剤と組み合わせて典型的に用いられ、鉱油ベースの軟化剤に対する脂肪アルコール軟化剤の重量比は、約１：１ないし約１：５であり、好ましくは約１：１ないし約１：２である。
【００８１】
本発明における使用に適切な他のタイプの軟化剤は、ポリシロキサン化合物を含む。一般に、本発明での使用に適切なポリシロキサン材料は、以下の構造のモノマーシロキサン単位を含むものである。
【００８２】
【化１】
0004459442.tif 000003
【００８３】
ここで、各独立したシロキサンモノマー単位についてのＲ1およびＲ2は、それぞれ独立に水素、または任意のアルキル、アリール、アルケニル、アルクアリール（ａｌｋａｒｙｌ）、アラキル（ａｒａｋｙｌ）、シクロアルキル、ハロゲン化炭化水素、または他の基とすることができる。そのような基の任意のものは、置換または非置換とすることができる。任意の特定のモノマー単位についてのＲ1およびＲ2は、隣接するモノマー単位の対応する官能基と異なっていてもよい。さらに、ポリシロキサンは、直鎖、分岐鎖のいずれとしてもよく、あるいは環構造を有することができる。基Ｒ1およびＲ2は、さらに加えて、独立して、他のシランを含む（ｓｉｌａｃｅｏｕｓ）官能基とすることができ、シロキサン、ポリシロキサン、シラン、およびポリシランのようなものであるが限定されない。基Ｒ1およびＲ2は、種々の有機官能基の任意のものを含んでもよく、例えば、アルコール、カルボン酸、フェニルおよびアミン官能基である。
【００８４】
典型的なアルキル基は、メチル、エチル、プロピル、ブチル、ペンチル、ヘキシル、オクチル、デシル、オクタデシルなどのようなものを含む。典型的なアルケニル基は、ビニル、アリルなどのようなものを含む。典型的なアリール基は、フェニル、ジフェニル、ナフチルなどのようなものを含む。典型的なアルクアリール基は、トイル（ｔｏｙｌ）、キシリル、エチルフェニルなどのようなものを含む。典型的なアラルキル基は、ベンジル、アルファ−フェニルエチル、ベータ−フェニルエチル、アルファ−フェニルブチルなどのようなものを含む。典型的なシクロアルキル基は、シクロブチル、シクロペンチル、シクロヘキシルなどのようなものを含む。典型的なハロゲン化炭化水素基は、クロロメチル、ブロモメチル、テトラフルオロエチル、フルオロエチル、トリフルオロエチル、トリフルオロトルオイル（ｔｒｉｆｌｕｏｒｏｔｌｏｙｌ）、ヘキサフルオロキシリルなどのようなものを含む。
【００８５】
有用なポリシロキサンの粘度は、吸収性製品への適用のためにポリシロキサンが流動可能である、または流動可能になる限り、ポリシロキサンの粘度が一般に変化するように広く変化させることができる。これは、約５センチストークス（３７℃においてガラス粘度計により測定した際）のような低い粘度から約２０，０００，０００センチストークスまでを含むが、限定されない。好ましくは、ポリシロキサンは、３７℃において、約５ないし約５，０００センチストークス、より好ましくは約５ないし約２，０００センチストークス、最も好ましくは約１００ないし約１０００センチストークスの範囲の粘度を有する。それ自体では流動するのに抵抗を有する高粘度のポリシロキサンは、次のような方法によって吸収性製品の上に効果的に堆積させることができる。例えば、界面活性剤中にポリシロキサンを乳化させる方法、あるいは、ヘキサンのような溶媒の助けをかりてポリシロキサンを溶液中に与えるような方法であるが、これらは例示のためのみに挙げられる。吸収性製品にポリシロキサン軟化剤を塗布するための特定の方法は、以下でより詳細に説明される。
【００８６】
本発明における使用のために好ましいポリシロキサン化合物は、１９９１年１０月２２日に発行された米国特許第５，０５９，２８２号（アムパルスキーら（Ａｍｐｕｌｓｋｉ  ｅｔ  ａｌ．））に記載されており、この文献は参照として取り込まれて本明細書を構成する。本発明の組成物における軟化剤としての使用のために特に好ましいポリシロキサン化合物は、フェニル官能性ポリメチルシロキサン化合物（例えば、ダウコーニング（Ｄｏｗ  Ｃｏｒｎｉｎｇ）５５６  化粧品等級流体（Ｃｏｓｍｅｔｉｃ−Ｇｒａｄｅ  Ｆｌｕｉｄ）：ポリフェニルメチルシロキサン）、およびセチルまたはステアリル官能化されたジメチコン類（ｄｉｍｅｔｈｉｃｏｎｅｓ）であり、それぞれダウ（Ｄｏｗ）２５０２およびダウ２５０３ポリシロキサン液体のようなものである。フェニル官能基またはアルキル基でのそのような置換に加えて、効果的な置換は、アミノ基、カルボキシル基、ヒドロキシル基、エーテル基、ポリエーテル基、アルデヒド基、ケトン基、アミド基、エステル基およびチオール基で行なうことができる。これらの効果的な置換基のなかで、フェニル基、アミノ基、アルキル基、カルボキシル基およびヒドロキシル基を含む基の群は、他のものより好ましく；フェニル官能基が最も好ましい。
【００８７】
適切な湿潤剤は、グリセリン、プロピレングリコール、ソルビトール、トリヒドロキシステアリンなどのようなものを含む。
【００８８】
存在する場合、組成物中に含有することができる軟化剤の量は、種々の要因に依存し、それは、含有される特定の軟化剤、所望される皮膚への利点、組成物中の他の成分などのような要因を含むであろう。組成物は、全重量に対して０ないし約１００％の軟化剤を含有することができる。好ましくは、組成物は、重量で約１０ないし約９５％、より好ましくは約２０ないし約８０％、最も好ましくは約４０ないし約７５％の軟化剤を含有するであろう。
【００８９】
もう一つの任意ではあるが、本発明に有用なある種のスキンケア組成物の本質的に重要な成分は、組成物（好ましい軟化剤および／または他のスキンコンディショニング／保護的剤を含む）を、処理されたカフスの中または上の所望される位置に固定化することができる剤である。組成物中の好ましい成分のいくらかは、２０℃において塑性または液液粘稠度を有するので、中程度のずれに供された場合でも、それは流動または移動する傾向を有するであろう。カフスの装着者接触面または他の位置に適用された際、特に溶かされたまたは溶解した状態において、軟化剤は、処理された領域の中または上に主としてとどまらないおそれがある。それよりむしろ、軟化剤は、吸収性製品の望まれない領域に移動して流れる傾向を有するであろう。
【００９０】
具体的には、軟化剤が製品の内部に移動すると、吸収性コアの吸収特性に望ましくない影響を及ぼすおそれがあり、それは、例えば、本発明に有用な組成物に使用される軟化剤および他のスキンコンディショニング剤の疎水的な特性に起因する。それはまた、所望の皮膚の利点を得るために、より多くの軟化剤がカフスに適用されなければならないことを意味する。軟化剤のレベルを増加させることは、コストを増大させるのみならず、コアの吸収性における望ましくない影響、および処理されたカフスの加工／変形の間の組成物の望ましくない移動を悪化させる。
【００９１】
固定化剤は、組成物が適用されたカフスの表面または領域の中に主として集中された軟化剤を保つことによって、軟化剤が移動または流れる傾向を相殺する。これは、固定化剤が、組成物の融点および／または粘度を、軟化剤のそれよりも高めるという事実に部分的に起因すると信じられる。固定化剤は、好ましくは軟化剤と親和性である（あるいは、適切な乳化剤の助けをかりて軟化剤中に溶解される、またはその中に分散される）ので、それは、カフスの装着者接触面の表面または塗布された領域に軟化剤を取り込む。
【００９２】
それが適用されたカフスの装着者接触面または領域に、固定化剤を“閉じ込める（ｌｏｃｋ）”することもまた、有利である。このことは、カフスへの適用の際に迅速に硬化（すなわち、固化）する固定化剤を用いることによって達成することができる。さらに、ブロワー、ファン、冷却ローラーなどによる処理されたカフスの外部からの冷却も、固定化剤の結晶化を促進することができる。
【００９３】
軟化剤中に親和性である（またはその中に溶解される）ことに加えて、固定化剤は、室温で固体または半固体の組成物を与えるような溶融プロファイルを有することが好ましい。この点に関して、好ましい固定化剤は、少なくとも約３５℃の融点を有することができる。そういうわけで、固定化剤自体は移動または流動する傾向を有しないであろう。好ましい固定化剤は、少なくとも約４０℃の融点を有することができる。典型的には、固定化剤は、約５０℃から約１５０℃の範囲内の融点を有するであろう。
【００９４】
用いられる場合、ここで有用な固定化剤は、スキンケア組成物の好ましい特性が本明細書に記載されている皮膚利益を与える限り、多くの薬剤の任意のものから選択することができる。好ましい固定化剤は、Ｃ14〜Ｃ22の脂肪アルコール、Ｃ12〜Ｃ22の脂肪酸、および２ないし約３０の範囲の平均エトキシ化度を有するＣ12〜Ｃ22の脂肪アルコールエトキシレート、およびその混合物からなる群から選択されるものを含むであろう。好ましい固定化剤は、Ｃ16〜Ｃ18の脂肪アルコール、最も好ましくは、セチルアルコール、ステアリルアルコール、ベヘニルアルコール、およびその混合物からなる群から選択される結晶性の高融点材料を含む。（これらの材料の直鎖構造は、処理されたカフス上での固化を促進することができる。）セチルアルコールとステアリルアルコールとの混合物は、特に好ましい。他の好ましい固定化剤は、Ｃ16〜Ｃ18の脂肪酸、最も好ましくは、パルミチン酸、ステアリン酸およびその混合物からなる群から選択される。パルミチン酸とステアリン酸との混合物は、特に好ましい。さらに他の好ましい固定化剤は、約５ないし約２０の範囲の平均エトキシ化度を有するＣ16〜Ｃ18の脂肪アルコールエトキシレートを含む。好ましくは、脂肪アルコール、脂肪酸および脂肪アルコールは直鎖状である。重要なことに、Ｃ16〜Ｃ18の脂肪アルコールのようなこれらの好ましい固定化剤は、組成物の結晶化の速度を増加させて、基材の表面で組成物を迅速に結晶化させる。
【００９５】
本発明において用いることができる他のタイプの固定化剤は、ポリヒドロキシ脂肪酸エステル、ポリヒドロキシ脂肪酸アミド、およびその混合物を含む。好ましいエステルおよびアミドは、ポリヒドロキシ部分に３つ以上の遊離ヒドロキシ基を有して、典型的にノニオン性である。このような組成物が塗布されたカフスを用いる起こり得る皮膚の感受性のために、これらのエステルおよびアミドもまた、比較的穏やかで皮膚に対して刺激を与えないべきである。
【００９６】
本発明における使用に適切なポリヒドロキシ脂肪酸エステルは、以下の式を有するであろう。
【００９７】
【化２】
0004459442.tif 000004
【００９８】
ここで、ＲはＣ5〜Ｃ31のハイドロカルビル基、好ましくは直鎖でＣ7〜Ｃ19のアルキルまたはアルケニル、より好ましくは直鎖でＣ９〜Ｃ17のアルキルまたはアルケニル、最も好ましくは直鎖でＣ11〜Ｃ17のアルキルまたはアルケニル、またはその混合物であり；Ｙは鎖に直接結合した少なくとも２つの遊離ヒドロキシをともなうハイドロカルビル鎖を有するポリヒドロキシハイドロカルビル部分であり；ｎは少なくとも１である。適切なＹ基は、グリセロール、ペンタエリスリトールのようなポリオール；ラフィノース、マルトデキストロース、ガラクトース、スクロース、グルコース、キシロース、フラクトース、マルトース、ラクトース、マンノースおよびエリスロースのような糖；エリスリトール、キシリトール、マリトール、マンニトールおよびソルビトールのような糖アルコール；およびソルビタンのような糖アルコールの無水物から誘導することができる。
【００９９】
本発明における使用のために適切なポリヒドロキシ脂肪酸エステルの１つの種類は、ある種のソルビタンエステル、好ましくはＣ16〜Ｃ22の飽和脂肪酸のソルビタンエステルを含む。それらが典型的に製造される方法のために、これらのソルビタンエステルは、モノ−、ジ−、トリ−などのようなエステルの混合物を通常含有する。適切なソルビタンエステルの典型例は、ソルビタンパルミチン酸エステル（例えば、ＳＰＡＮ４０）、ソルビタンステアリン酸エステル（例えば、ＳＰＡＮ６０）、およびソルビタンベヘン酸エステルを含み、それらは、こうしたソルビタンエステルのモノ−、ジ−およびトリ−型の１種またはそれ以上を含有し、例えば、ソルビタンモノ−、ジ−およびトリ−パルミチン酸エステル、ソルビタンモノ−、ジ−およびトリ−ステアリン酸エステル、ソルビタンモノ−、ジ−およびトリ−ベヘン酸エステルを、混合された獣脂脂肪酸ソルビタンモノ−、ジ−およびトリ−エステルとともに含む。異なるソルビタンエステルの混合物もまた用いることができ、ソルビタンステアリン酸エステルをともなうソルビタンパルミチン酸エステルのようなものである。特に好ましいソルビタンエステルは、ソルビタンステアリン酸エステルであり、典型的にはＳＰＡＮ  ６０のようなモノ−、ジ−およびトリ−エステル（加えて、いくらかのテトラエステル）の混合物、およびＧＬＹＣＯＭＵＬ−Ｓの商品名でロンザ社（Ｌｏｎｚａ，Ｉｎｃ．）から市販されているソルビタンステアリン酸エステルのようなものである。これらのソルビタンエステルは、モノ−、ジ−およびトリ−、加えていくらかのテトラエステルの混合物を典型的に含有するが、モノおよびジエステルは、これらの混合物中で、通常主要な成分である。
【０１００】
本発明における使用のために適切なポリヒドロキシ脂肪酸エステルのもうひとつの種類は、ある種のグリセリルモノエステル、好ましくはＣ16〜Ｃ22の飽和脂肪酸のグリセリルモノエステルを含み、グリセリルモノステアリン酸エステル、グリセリルモノパルミチン酸エステル、およびグリセリルモノベヘン酸エステルのようなものである。ここでも、ソルビタンエステルと同様に、グリセリルモノエステル混合物は、いくらかのジおよびトリエステルを典型的に含むであろう。しかしながら、そのような混合物は、本発明において有用となるグリセリルモノエステル種を主に含有するべきである。
【０１０１】
本発明における使用のために適切なポリヒドロキシ脂肪酸エステルのもうひとつの種類は、ある種のスクロース脂肪酸エステル、好ましくはスクロースのＣ12〜Ｃ22の飽和脂肪酸エステルを含む。スクロースのモノエステルおよびジエステルは特に好ましく、スクロースモノ−およびジ−ステアリン酸エステル、およびスクロースモノ−およびジ−ラウリン酸エステルを含む。
【０１０２】
本発明での使用に適切なポリヒドロキシ脂肪酸アミドは、次の式を有するであろう。
【０１０３】
【化３】
0004459442.tif 000005
【０１０４】
上記式中、Ｒ1はＨ、Ｃ1〜Ｃ4のハイドロキシカルビル、２−ヒドロキシエチル、２−ヒドロキシプロピル、メトキシエチル、メトキシプロピル、またはそれらの混合物、好ましくはＣ1〜Ｃ4のアルキル、メトキシエチルまたはメトキシプロピル、より好ましくはＣ1またはＣ2のアルキルまたはメトキシプロピル、最も好ましくはＣ1アルキル（すなわちメチル）またはメトキシプロピルであり；Ｒ2はＣ5〜Ｃ31のハイドロカルビル基、好ましくは直鎖でＣ7〜Ｃ19のアルキルまたはアルケニル、より好ましくは直鎖でＣ9〜Ｃ17のアルキルまたはアルケニル、最も好ましくは直鎖でＣ11〜Ｃ17のアルキルまたはアルケニル、またはその混合物であり；Ｚは鎖に直接結合した少なくとも３つのヒドロキシルをともなう直鎖のハイドロカルビル鎖を有するポリヒドロキシハイドロカルビル部分である。１９９２年１２月２９日に発行された米国特許第５，１７４，９２７号（ホンザ（Ｈｏｎｓａ））（これは参照として取り込まれて本明細書を構成する）を参照されたい。この文献には、これらのポリヒドロキシ脂肪酸アミドが、その調製とともに記載されている。
【０１０５】
Ｚ部分は、還元的アミノ化反応において還元糖から誘導することができ；最も好ましくはグリシチル（ｇｌｙｃｉｔｙｌ）である。適切な還元糖は、グルコース、フラクトース、マルトース、ラクトース、ガラクトース、マンノースおよびキシロースを含む。高デキストロースのコーンシロップ、高フラクトースのコーンシロップ、および高マルトースのコーンシロップは、上で列挙した個々の糖と同様に用いることができる。これらのコーンシロップは、Ｚ部分に糖成分の混合物を与えることができる。
【０１０６】
Ｚ部分は、好ましくは、−ＣＨ2−(ＣＨＯＨ)n−ＣＨ2ＯＨ、−ＣＨ(ＣＨ2ＯＨ)−[(ＣＨＯＨ)n-1]−ＣＨ2ＯＨ、−ＣＨ2ＯＨ−ＣＨ2−(ＣＨＯＨ)2(ＣＨＯＲ3)−(ＣＨＯＨ)−ＣＨ2ＯＨからなる群から選択されるであろう。ここで、ｎは３ないし５の整数であり、Ｒ3はＨまたは環状または脂肪族単糖類である。最も好ましいのはｎが４のグリシチル、特に−ＣＨ2−(ＣＨＯＨ)4−ＣＨ2ＯＨである。
【０１０７】
上述した式において、Ｒ1は、例えば、Ｎ−メチル、Ｎ−エチル、Ｎ−プロピル、Ｎ−イソプロピル、Ｎ−ブチル、Ｎ−２−ヒドロキシエチル、Ｎ−メトキシプロピルまたはＮ−２−ヒドロキシプロピルとすることができる。Ｒ2は、例えば、コカミド類（ｃｏｃａｍｉｄｅｓ）、ステアルアミド類（ｓｔｅａｒａｍｉｄｅｓ）、オレアミド類（ｏｌｅａｍｉｄｅｓ）、ラウラミド類（ｌａｕｒａｍｉｄｅｓ）、ミリストアミド類（ｍｙｒｉｓｔａｍｉｄｅｓ）、カプリックアミド類（ｃａｐｒｉｃａｍｉｄｅｓ）、パルミトアミド類（ｐａｌｍｉｔａｍｉｄｅｓ）、タローアミド類（ｔａｌｌｏｗａｍｉｄｅｓ）などを与えるために選択することができる。Ｚ部分は、１−デオキシグルシチル（ｄｅｏｘｙｇｌｕｃｉｔｙｌ）、２−デオキシフルクチチル（ｄｅｏｘｙｆｒｕｃｔｉｔｙｌ）、１−デオキシマルチチル（ｄｅｏｘｙｍａｌｔｉｔｙｌ）、１−デオキシラクチチル（ｄｅｏｘｙｌａｃｔｉｔｙｌ）、１−デオキシガラクチチル（ｄｅｏｘｙｇａｌａｃｔｉｔｙｌ）、１−デオキシマンニチル（ｄｅｏｘｙｍａｎｎｉｔｙｌ）、１−デオキシマルトトリオチチル（ｄｅｏｘｙｍａｌｔｏｔｒｉｏｔｉｔｙｌ）などとすることができる。
【０１０８】
最も好ましいポリヒドロキシ脂肪酸アミドは、次の一般式を有する。
【０１０９】
【化４】
0004459442.tif 000006
【０１１０】
ここで、Ｒ1はメチルまたはメトキシプロピル；Ｒ2はＣ11〜Ｃ17で直鎖のアルキルまたはアルケニル基である。これらは、Ｎ−ラウリル−Ｎ−メチルグルカミド、Ｎ−ラウリル−Ｎ−メトキシプロピルグルカミド、Ｎ−ココイル−Ｎ−メチルグルカミド、Ｎ−ココイル−Ｎ−メトキシプロピルグルカミド、Ｎ−パルミチル−Ｎ−メトキシプロピルグルカミド、Ｎ−タロイル−Ｎ−メチルグルカミド、またはＮ−タロイル−Ｎ−メトキシプロピルグルカミドを含む。
【０１１１】
すでに言及したように、固定化剤のいくつかは、軟化剤中への溶解のために乳化剤を必要とするかもしれない。これは、少なくとも約７のＨＬＢ値を有するＮ−アルキル−Ｎ−メトキシプロピルグルカミドのようなある種のグルカミドの場合に顕著である。適切な乳化剤は、約７未満のＨＬＢ値を有するものを典型的に含むであろう。この点については、約４．９以下のＨＬＢ値を有するソルビタンステアリン酸エステルのような上述したソルビタンエステルは、ワセリン中にこれらのグルカミド固定化剤を溶解するために有用であることが見出された。他の適切な乳化剤は、ステアレース−２（式ＣＨ3(ＣＨ2)17(ＯＣＨ2ＣＨ2)nＯＨ（ここでｎは２の平均値を有する）にしたがうステアリルアルコールのポリエチレングリコールエーテル）、ソルビタントリステアリン酸エステル、イソソルバイドラウリン酸エステル（ｉｓｏｓｏｒｂｉｄｅ  ｌａｕｒａｔｅ）、およびグリセリルモノステアリン酸エステルを含む。乳化剤は、実質的に均質な混合物が得られるように、軟化剤中に固定化剤を溶解するのに充分な量で含有させることができる。例えば、Ｎ−ココイル−Ｎ−メチルグルカミドとワセリンとの約１：１混合物は、通常は単一相の混合物に溶融しないものであるが、乳化剤としてステアレース−２とソルビタントリステアリン酸エステルとの１：１混合物を２０％添加した際には、単一相の混合物に溶融するであろう。
【０１１２】
単独で、あるいは上述した固定化剤との組み合わせのいずれかで固定化剤として用いることができる他のタイプの成分は、カルナウバ、オゾケライト、みつろう、カンデリラ、パラフィン、セレシン、エスパルト、オーリクリ、レゾワックス、イソパラフィン、および他の知られている臭ろう（ｍｉｎｅｄ  ａｎｄ  ｍｉｎｅｒａｌ  ｗａｘ）のようなワックスを含む。これらの材料の高い融点は、組成物がカフスの所望される表面または位置で不動化するのを助けることができる。さらに、微結晶ワックスは、有効な固定化剤である。微結晶ワックスは、スキンケア組成物中に低分子量の炭化水素を、“閉じ込める（ｌｏｃｋｉｎｇ  ｕｐ）”ことを助けることができる。好ましくは、ワックスはパラフィンワックスである。特に好ましい別の固定化剤の例は、ウエストバビロン、ニューヨークのシュトラールアンドピッチ社（Ｓｔｒａｈｌ  ａｎｄ  Ｐｉｔｓｃｈ  Ｉｎｃ．）のパラフィンエスピー（Ｐａｒｒａｆｉｎ  Ｓ．Ｐ．）４３４のようなパラフィンワックスである。
【０１１３】
組成物中に含有することができる任意の固定化剤の量は、種々の要因に依存し、含まれる活性成分（例えば軟化剤）、含まれる特定の固定化剤、もしあれば、組成物中の他の成分、固定化剤を他の成分に溶解するために乳化剤が必要とされるかどうか、などのような要因を含む。存在する場合、組成物は、約５ないし約９０％の固定化剤を典型的に含有するであろう。好ましくは、組成物は、約５ないし約５０％、最も好ましくは約１０ないし約４０％の固定化剤を含有するであろう。
【０１１４】
組成物は、このタイプのエマルジョン、クリーム、軟膏、ローション、パウダー、懸濁液などに典型的に存在する他の成分を含有することができる。これらの成分は、水、粘度改質剤、香料、消毒抗菌性活性剤、抗ウィルス剤、ビタミン、薬学的活性剤、膜形成剤、アロエベラ、防臭剤、不透明化剤、収れん剤、溶媒、保存剤などのようなものを含む。加えて、安定化剤は、組成物の貯蔵寿命を延ばすために添加することができ、セルロース誘導体、プロテイン、およびレシチンのようなものである。これらの材料の全ては、そのような処方のための添加剤として従来よく知られており、本発明での使用のための組成物中に適切な量で用いることができる。
【０１１５】
水ベースのスキンケア組成物が用いられる場合には、保存剤が必要とされるであろう。適切な保存剤は、プロピルパラベン、メチルパラベン、ベンジルアルコール、ベンジルコニウム（ｂｅｎｚｙｌｋｏｎｎｉｕｍ）、三塩基リン酸カルシウム、ＢＨＴ、あるいは、クエン酸、酒石酸、マレイン酸、乳酸、リンゴ酸、安息香酸、サリチル酸などのような酸を含む。適切な粘度上昇剤は、効果的な固定化剤として述べられた薬剤のいくつかを含む。他の適切な粘度上昇剤は、アルキルガラクトマンナン、シリカ、タルク、マグネシウムケイ酸塩、ソルビトール、コロイダルシリコーン二酸化物、マグネシウムアルミニウムケイ酸塩、ステアリン酸亜鉛、ウールワックスアルコール、ソルビトン、セスキオレエート、セチルヒドロキシエチルセルロースおよび他の改質されたセルロースを含む。適切な溶媒は、プロピレングリコール、グリセリン、シクロメチコン、ポリエチレングリコール、ヘキサングリコール、ジオールおよび多水酸基ベースの（ｍｕｌｔｉ−ｈｙｄｒｏｘｙ  ｂａｓｅｄ）溶媒を含む。適切なビタミンは、Ａ、Ｄ3、Ｅ、Ｂ5およびＥ酢酸塩を含む。
【０１１６】
Ｃ．油性物質に対する接着剤の耐性
一般的要求
上述したように、本発明に係る吸収性製品の組み立てにおける使用に適切な材料は、ここで説明されるスキンケア組成物の油性成分に対して耐性を有し、それと同時に、材料の選択またはプロセス適応性のいずれも、過度に制限しない。例えば、間隔伸縮性取り付け部材９４としての使用に適切な材料は、油性成分に曝された場合にも、間隔伸縮性部材７６をバリアーカフス部材６３と固定された関係に保たなければならない（すなわち、適切な材料は、当然、耐油性である）。適切な材料はまた、粘度熱特性を有するべきであり；１）材料の適用温度が、吸収性製品の組み立てに用いられる他の材料の選択を制限するほど高くないこと（すなわち、接着剤は材料になじみやすい）、２）材料を溶融するために必要とされるエネルギーは、材料が使用のための適切に低い粘度を有する前に過度の時間を必要とするほど大きくないこと（すなわち、適用温度に到達するために必要とされる時間は、受入れられないほど大きくあってはならない）、３）溶融された材料の使用時特性（ｉｎ−ｕｓｅ  ｐｒｏｐｅｒｔｉｅｓ）は、材料が適用プロセス信頼性の問題を生じるようであってはならない。これらの基準のそれぞれは、以下の段落で詳細に説明される。
【０１１７】
耐油性
オムツ２０における間隔伸縮性取り付け部材９４としての使用のような、本発明の吸収性製品の組み立てにおける使用のための接着剤の適性についての重要な基準は、組み立て、輸送、貯蔵、またや吸収性製品の使用中にそのような接着剤が曝される液体に対する耐性である。典型的な液体は、水、尿のような水性の身体放出物、月経血または便のような他の身体放出物、およびスキンケア組成物の油性成分、ミネラルオイル、ワセリン、脂肪アルコール、脂肪酸、シリコーン化合物のようなもの、および上述した本発明のスキンケア組成物の説明中に列挙されたような他の成分を含む。
【０１１８】
上で列挙した種々のタイプの液体の全てに対する耐性が重要である一方、従来は、オムツに塗布された際に所望の皮膚の健康利益を与えることが見出されてきたスキンケア組成物の成分のような、油性材料に対して耐性を与えることに特に困難性を有してきた。本出願人は、ここで説明されたようなスキンケア組成物で処理されたカフスについて、約０．３５インチ（８．９ｍｍ）未満のクリープ値（ｃｒｅｅｐ  ｖａｌｕｅ）が非常に好ましいことを見出した。特に、少なくとも約２５のカフスのサンプルが、以下の試験方法（ＴＥＳＴ  ＭＥＴＨＯＤ）部分で説明される方法にしたがってクリープについて評価される場合、端部の約１０パーセント以下は、約０．３５インチ（８．９ｍｍ）より大きなクリープを有するべきである。好ましくは端部の約７．５パーセント未満、より好ましくは約５パーセント未満は、約０．３５インチ（８．９ｍｍ）より大きなクリープ値を有するべきである。
【０１１９】
例３の表３には、種々の接着剤およびスキンケア組成物を用いて組み立てられたバリアーカフス６２についての、平均クリープ値と約０．３５インチ（８．９ｍｍ）越えるクリープ値を有する繊維端のパーセンテージとをまとめる（非耐油性の従来の接着剤を用いて組み立てられ、スキンケア組成物で処理されなかったカフス６２についてのクリープデータもまた、比較のために併記した）。例１および２は、そのようなカフスを有するオムツの組み立ておよび処理を説明する。カフスは、次いで、以下の試験方法セクションに記載されている方法にしたがって、クリープについて評価された。示されるように；１）従来の非耐油性接着剤のクリープ耐性は、カフスがスキンケア組成物で処理されるとかなり低下し；２）スキンケア組成物の存在下において、従来の耐油性接着剤および本発明の耐油性接着剤の両方を用いて組み立てられたカフス６２のクリープ耐性は、非耐油性の従来の接着剤を用いて組み立てられた未処理のカフスのクリープ耐性と実質的に同等である。言い換えれば、耐油性接着剤を用いることは、オムツに塗布され得る任意のスキンケア組成物の処方および配置の制限を最少にする。
【０１２０】
ブチレン（１−ブテン）ホモポリマーまたはコポリマーを含む接着剤組成物は、特に望ましい耐油性を有することが見出された。そのような接着剤は、他のポリマーまたはコポリマー、粘着性樹脂、ワックス、安定化剤、および従来知られているようなものをさらに含むことができる。このタイプの接着剤は、ホットメルト接着剤としても従来知られている。本出願人は、そのような耐油性は、ポリブチレンの結晶特性に起因すると信じている。知られているように、しばしばホットメルト接着剤の成分であるブロックコポリマーは、結晶質および非晶質の領域を有する。本出願人は、そのような非晶質の領域は、スキンケア組成物の油性成分がホットメルト接着剤のポリマー成分と容易に相互作用（可塑化を引き起こす）する部位を、結晶質領域よりも与えることを信じている。ブチレンポリマーは、仮に存在してもごくわずかの非晶質を伴なって実質的に結晶質であるので、耐油性が改善される。
【０１２１】
材料のなじみやすさ
本発明にかかる適切さのためのもう一つの重要な指標は、“材料のなじみやすさ（ｍａｔｅｒｉａｌ  ｆｒｉｅｎｄｌｉｎｅｓｓ）”である。本明細書において用いられる際、接着剤が吸収性製品の組み立てに用いられる場合に、接着剤の使用が、吸収性製品の構成要素としての使用のための材料のタイプに過度の制限をもたらさなければ、接着剤は“材料になじみやすい”。例えば、約３７５°Ｆ（１９１℃）の接着剤塗布温度は、吸収性製品用のバックシートとしてしばしば用いられる低基準重量フィルム中に孔を生じさせることが見出された。この感温性は、適切なホットメルト接着剤についての塗布温度の上限を事実上与える。
【０１２２】
本出願人は、本発明の耐油性接着剤は、改善された材料のなじみやすさを与えることを見出した。そのようななじみやすさは例４に示されており、これは、本発明の耐油性接着剤の挙動を従来の耐油性接着剤と比較する。示されるように、本発明の接着剤が、オムツのサイドフラップの組み立てにおいて典型的なトップシートおよびバックシート材料との組み合わせで用いられる場合、そのようなフラップは、望ましい耐油性および改善されたバックシート一体性（従来の耐油性接着剤と比較して）を有する。重要なことに、本発明の接着剤が使用される場合、バックシートへの変化は外観上であり、オムツの有用性に実質的に影響を及ぼさない。一方、従来の耐油性接着剤の必然的により高い温度での適用により引き起こされるバックシートへの変化は、オムツの性能に影響を及ぼすおそれがある（例えば、孔が漏れの原因となりうる）。
【０１２３】
プロセスなじみやすさ
本発明のために適切な材料は、また、プロセスになじみやすい。本明細書において用いられる際、接着剤の塗布および使用プロセスに不必要な束縛を与えない場合、材料は“プロセスになじみやすい”。プロセスなじみやすさ特性の特定の例は、製造雰囲気における固体接着剤の迅速な溶融を可能とするための溶融における低い熱、塗布ノズルを通る接着剤の流れをもたらすために必要とされる圧力を最少にするための使用粘度における低さ、およびプロセスロールへのしみだし（ｂｌｅｅｄｔｈｒｏｕｇｈ）を引き起こすおそれのある意図されない接着剤の流れを最少にするための冷却が迅速に起こることを含む。これらの接着剤特性のそれぞれは、以下で詳細に説明される。
【０１２４】
接着剤を使用準備条件にするために必要とされる時間は、プロセスのそのような操作の注意に必要なファクターの１つであるので、迅速な溶融は有用である。操作者のより少ない注意を意味する短い溶融時間は、使い果たされた接着剤供給容器を充填した後に必要とされる。
【０１２５】
上で言及したように、プロセス条件における低い粘度は、吸収性製品が組み立てられるときに材料を接合するために接着剤が用いられる際、塗布ノズルを通して接着剤が流れるのを引き起こすために必要とされる圧力をできるだけ少なくするために重要である。当業者に認識されているように、使用粘度における低さは、高められた使用温度において接着剤を塗布することによって達成できるであろう。しかしながら、使用粘度における低さを達成するための方法は、付加的な問題を引き起こす。例えば、接着剤を材料になじみやすくするのに必要とされるよりも高い温度まで、接着剤を加熱することを必要とするかもしれない。高められた温度に関連したもう一つの問題は、“ポットライフ”である。ホットメルト接着剤は有機材料を含有する組成物であるので、過剰に長い時間高められた温度に維持されると、その材料は分解する。“ポットライフ”は、材料の特性が許容されなくなる（例えば、分子量の低下に起因した粘度の減少）前に溶融物にそれを維持することができる時間である。ここでも、より低い塗布温度において満足のいく粘度を達成することができる場合に、ポットライフは引き延ばすことができる。
【０１２６】
プロセスの衛生状態もまた、吸収性製品の製造に重要である。接着剤硬化時間は、硬化時間が過剰に長く、流体接着剤が材料（例えば、不織布ウェブカフス要素）を浸透して下層のロールを汚すおそれがある場合には、本明細書において重要である。接着材料でロールがいったん汚されると、ロールで運ばれる任意のウェブはロールに付着して巻き付いて、ウェブの破れが生じる。
【０１２７】
接着材料特性
材料なじみやすさおよびプロセスなじみやすさについての上で確認した特性の指標は、本発明の接着剤のための重要ないくつかの材料特性を同定するのを助ける。特に、
１）粘度／温度の関係（熱−温度特性）は、塗布温度を画定する。および、
２）塗布温度まで接着剤を昇温するのに必要とされるエネルギーは、溶融の容易さを画定する。
【０１２８】
これらの特性のそれぞれは、以下に詳細に説明される。
【０１２９】
熱−温度特性は、以下を考慮することによって定義することができる。
【０１３０】
・本発明にかかる接着材料を材料になじみやすいものであると考えるために、約３５０°Ｆ（１７７℃）未満の塗布温度とするべきである。そうでなければ、上述したように、目に見える欠陥がある種の有用なウェブ材料中に生じ始める。好ましくは、塗布温度は約３２５°Ｆ（１６２℃）未満である。
【０１３１】
・約８０００センチポアズ未満の見かけ粘度を有する材料は、塗布ノズルを通して満足に流れるであろう。好ましくは、見かけ粘度は約６０００センチポアズ未満である。見かけ粘度は、ＡＳＴＭ標準方法（Ｓｔａｎｄａｒｄ  Ｍｅｔｈｏｄ）Ｄ３２３６−８８にしたがって測定することができる。
【０１３２】
・接着剤は、多孔質ウェブを通した浸透が許容できる程度に低いのを保証するために、迅速に硬化されるべきである。
【０１３３】
図６は、従来の耐油性接着剤（Ｈ９２５４）および本発明の耐油性接着剤（Ｈ９２６８）の温度（Ｔ）に対して見かけ粘度（Ｖ）をプロットしたグラフである。示されるように、本発明の耐油性接着剤は、データが取られた温度のそれぞれにおいて、従来の耐油性接着剤よりも低い見かけ粘度を有する。そのようなより低い粘度は、２５０°Ｆ（１２１℃）において最も顕著であり、ここでは、従来の耐油性接着剤は硬化し始める一方で、本発明の接着剤組成物は依然としていくぶん流体である。以下に説明されるように、本発明の接着剤の改善された熱−温度特性は、従来の耐油性接着剤の材料およびプロセスなじみやすさの問題点の多くを克服しつつ、望まれない浸透またはしみだしの影響を受け易くないことを本出願人は信じている。
【０１３４】
特に、本出願人は、本発明の接着剤の溶融のより低い熱は、硬化時間が許容し得る程度に短いことを可能にする一方で、それと同時に上述したような望ましい熱／温度関係を維持することを信じている。知られているように、与えられた圧力差についてある距離にわたって流体が流れるために時間が必要とされ、より粘度の高い流体は、低粘度の流体よりも長い時間を必要とする。さらに知られているように、材料からの熱の移動は、材料と周囲の環境との間の温度差、環境に曝される材料の面積、材料の熱容量、および材料の任意の結晶溶融からの熱に依存する。図８（例５）に示されるように、従来の耐油性接着剤は、約３００°Ｆ（１５０℃）において結晶溶融領域を有する。熱が取り除かれると接着剤の一部が結晶化するので、従来の耐油性接着剤は粘度が上昇し始める。一方、本発明の接着剤は、この結晶溶融領域を示さず、本出願人は、本発明の接着剤（例４）のより低い塗布温度と、比較的低い熱移動係数（図８の曲線のベースラインの傾きに関連する）との組み合わせは、本発明の接着剤が十分に迅速に冷えて、受け入れられる短い許容時間を有することを信じている。
【０１３５】
この望ましい粘度温度関係の１つの態様は、例５に明確に示されている。この例において、本発明の接着剤についての溶融時間は、従来の接着剤に匹敵する。従来の接着剤の１つ（Ｈ２５１１）は、吸収性製品の組み立てに広く用いられているが、受け入れられない耐油性を有する。他の接着剤（Ｈ９２５４）は、従来の耐油性接着剤の代表的な例である。図７のデータから明瞭に示されるように、本発明にかかる接着剤（Ｈ９２６８）は、広く用いられている現在の接着剤により近い溶融プロファイルと、所望される耐油性との両方を有している。
【０１３６】
本出願人は、溶融プロファイルにおける違いは種々の接着剤組成物の融解熱により説明できることを信じている。本明細書において用いられる際、“融解熱”という用語は、材料の結晶溶融のために必要とされるエネルギーの量である。融解熱は、以下の試験方法（ＴＥＳＴ  ＭＥＴＨＯＤ）部分に記載されているような示差走査熱量測定技術を用いて測定することができる。本発明の接着剤としての使用に適切なものとするためには、接着剤組成物の融解熱は１グラム当たり約２０ジュール未満とするべきである。好ましくは、融解熱は１グラム当たり約１５ジュール未満である。驚くべきことに、本出願人は、従来の接着剤組成物に比べて融解熱にそのような低減を与えることによって、本発明の接着剤はより迅速に溶融することを見出した。また、融解熱の低さおよび引き起こされるより低い塗布温度は、プロセスの衛生の問題およびその塗布後に接着剤の望まれない流れに関連した他の問題の危険性を実質的に低減するのに十分に迅速に、本発明の接着剤組成物の冷却および粘度の上昇を引き起こす。
【０１３７】
Ｄ．カフスの組み立ておよび取り付け
上で言及したように、耐油性接着材料は、フラップ取り付け手段８８、伸縮性取り付け部材９０、遠方固定部材９２、または間隔伸縮性取り付け部材９４の任意または全てとしての使用に適切である。以下に、バリアーカフス６２を形成するための間隔伸縮性取り付け部材９４としての使用についての本発明の接着剤を塗布する１つの方法を説明する。当業者は、オムツ２０の他の要素について、本発明の接着材料を使用するための同様の方法を認識するであろう。
【０１３８】
図３に明確に示されるように、間隔伸縮性部材７６は、バリアーカフス部材６３をそれ自体の上に折り返したときに形成されるトンネルの中に囲まれ、間隔伸縮性部材７６は、間隔伸縮性取り付け部材９４によってトンネルの中にしっかりと固定される。バリアーカフスの遠方端６６は、間隔伸縮性部材７６の伸縮性のギャザー作用によって、身体側表面４０から間隔を空けて離れておかれる。１）このトンネルを形成するため、２）間隔伸縮性部材７６を取り付けるため、および３）ギャザー作用を与えるために、以下の工程が適切であることが見出された。
【０１３９】
・第一に、間隔伸縮性部材７６が与えられる。任意の伸縮的に収縮可能な材料が、間隔伸縮性部材７６としての使用に適切である。特定の材料は、上述した米国特許第４，６９５，２７８号にも記載されている。
【０１４０】
・第二に、間隔伸縮性取り付け部材９４が与えられる。上述したように、本発明の接着剤組成物が特に好ましい。
【０１４１】
・第三に、間隔伸縮性部材７６および間隔伸縮性取り付け部材９４が、従来知られている手段を用いて結合される。適切な手段は、間隔伸縮性７６の上への間隔伸縮性取り付け部材９４のスロット押し出し、および間隔伸縮性７６の上へ間隔伸縮性取り付け部材９４をスプレーすることを含むが、それに限定されない。特に好ましいのは、従来知られているような螺旋パターンを用いて間隔伸縮性７６上に間隔伸縮性取り付け部材９４をスプレーすることであり、これにおいては、螺旋の幅は、間隔伸縮性取り付け部材９４が間隔伸縮性部材７６の周りに運ばれて、その表面全体に接触するようなものである。すなわち、間隔伸縮性部材７６は、間隔伸縮性取り付け部材９４によって包まれる。
【０１４２】
・第四に、バリアーカフス部材６３を形成するために適切な材料のウェブが与えられる。そのような材料は、バリアーカフス６２を形成するために適切であるとして、上述した米国特許第４，６９５，２７８号に記載されている。
【０１４３】
・第五に、包まれた間隔伸縮性取り付け部材７６は、バリアーカフス部材６３の一部を包まれた間隔伸縮性部材７６の周りに折りたたみ、バリアーカフス部材６３と包まれた間隔伸縮性部材７６とを従来知られている手段を用いて取り付けることによって、バリアーカフス部材６３に接続する（バリアーカフス６２を形成する）ことができる。間隔伸縮性部材の一部の長手端は、カフス閉鎖部材９６を用いて間隔伸縮性部材の残りにも接続され、それは、クリンプとして通常知られているような熱と圧力との組み合わせ、接着手段または従来知られているような他の手段である。
【０１４４】
Ｅ．スキンケア組成物のカフス（または他のウェブ）への塗布
本発明にかかる処理されたカフス製品の作製において、スキンケア組成物は、好ましくはカフスの身体側面（すなわち、装着者接触面）に塗布される。しかしながら、ここで開示されるある種のスキンケア組成物は、ここで示されるカフス材料のいくらかに浸透またはそれを通して移動することができるので、効果的な量のスキンケア組成物が身体側面に配置されるように、スキンケア組成物を、代わりにカフスの衣類側面に塗布することもできる。事実、ある場合には、これは塗布は一方の面のみであるが完全に処理されたカフス（すなわち、両側が処理された）の利益を達成するための好ましい手段となるであろう。
【０１４５】
溶融したまたは液体粘稠度を有する潤滑性材料を分配する種々の塗布方法の任意のものは、スキンケア組成物をカフスに塗布するために用いることができる。適切な塗布方法は、コーティング（例えば、グラビアまたはスロットコーティング）、スプレー、プリント（例えば、フレキソ印刷）、押し出し、またはこれらの組み合せ、または他の塗布技術（例えば、カレンダーロールのような回転している表面の上にスキンケア組成物をスプレーし、次いで、接触コーティングによりスキンケア組成物をオムツカフスの身体側面に移す）。所望されるならば、スキンケア組成物はカフスの両方の側に塗布することもできる。
【０１４６】
カフスへのスキンケア組成物の塗布の手法は、カフスがスキンケア組成物で過剰に飽和されないようにするべきである。カフスが過剰の量のスキンケア組成物で処理されると、スキンケア組成物が製品の望まれない領域、例えば、製品の内部に移動して、下層の吸収性コアの吸収性に悪影響を与えるおそれが大きくなる。また、カフスの飽和は、治療的および／または保護的スキンケア組成物の利益を得るために必要とされない。
【０１４７】
カフスに塗布されるべきスキンケア組成物の最少のレベルは、皮膚炎、オムツかぶれ、紅斑、皮膚の刺激、または他の不都合な皮膚の状態の低減における最少の量である。（組成物はまた、装着者の皮膚への糞便（ＢＭ）の付着を低減することにおいても効果的とすることができる）。もちろん、スキンケア組成物の効果的な量は、多くは、用いられる特定のスキンケア組成物に依存するであろう。軟化剤は実質的にカフスの身体側面に固定されるので、より少ないスキンケア組成物が、所望される皮膚利益を与えるために必要とされる。そのような比較的低いレベルのスキンケア組成物は、所望される治療的および／または保護的スキンケア組成物の利益をカフスに与えるのに適切である。
【０１４８】
スキンケア組成物は、均一にまたは不均一に、カフスの一方または両方の表面、またはその部分に塗布することができる。スキンケア組成物は、また、パター状（すなわち、縞、枠、点、螺旋など）に塗布してもよい。好ましくは、スキンケア組成物は、使用の際に装着者に最も接触するカフスの領域にそろえられる。最も好ましくは、以下の例で説明されるように、スキンケア組成物は、カフスの分離した部分にストライプ状に塗布され、例えば、１．４インチ幅（カフスの遠方端が覆われるようなオムツ長手方向）および１１．７５インチ長さ（オムツの長手方向）のパッチが、カフスの身体接触面の股部分に一般的に配置される。
【０１４９】
スキンケア組成物は、また、カフスの一方または両方の表面に不均一に塗布することができる。“不均一”によって、組成物の量、分配のパターンなどを、カフス面にわたって変化させ得ることが意味される。例えば、カフスの処理された表面のいくらかの部分は、より多くのまたはより少ない量の組成物を有することができ、その上に組成物を全く有しない表面の部分を含む。
【０１５０】
スキンケア組成物は、カフスまたはカフスの一部を形成するウェブに、組み立て中の任意の時点で塗布することができる。例えば、スキンケア組成物は、それが包装される前に完成された製品のカフスに適用することができる。またスキンケア組成物は、カフスまたはウェブを他の原材料と組み合わせて完成された製品を得る前に、他の製品構成成分との組み合わせの前に加工場所において、または予備処理された原材料のいずれかで、カフスまたはウェブに塗布することができる。
【０１５１】
組成物は、典型的にはその溶融物からカフスに適用される。好ましい態様においては、組成物は室温より著しく高い温度で溶融するので、それは、加熱されたコーティングとしてカフスに通常適用される。典型的に組成物は、カフスに適用される前に、約３５°ないし約１００℃、好ましくは４０°ないし約９０℃の範囲の温度に加熱される。溶融された組成物がカフスにいったん適用されると、それは冷えて固化し、カフスの表面に配置された固化したコーティングまたはフィルムを形成する。好ましくは、塗布プロセスは、組成物の冷却／硬化の助けとなるために設計されることが好ましい。
【０１５２】
本発明のスキンケア組成物のカフスへの塗布においては、スロットコーティング、押し出しコーティング、グラビアコーティングおよびスプレー法が好ましい。図５には、加工操作中においてオムツのバリアーカフスへのスキンケア組成物の連続的なまたは間欠的な接触を含む、好ましい方法を例示する。図５に示されるように、コンベヤーベルト１は、矢印で示される方向に回転ロール３および４の上を進み、戻りコンベヤーベルト２となる。コンベヤーベルト１は、ローションが塗布されていないオムツ５をコンタクトスロットコーティング位置６に運び、ここで、バリアーカフス部材７は、熱く溶融した（例えば、６５℃）のスキンケア組成物でコートされる。スロットコーティング位置６を離れた後、オムツ５は処理されたバリアーカフスを有するオムツ８となる。バリアーカフス部材７に運ばれるスキンケア組成物の量は、以下によって制御される：（１）溶融したスキンケア組成物がコンタクトスロットコーティング位置６から塗布される速度；および／または（２）コンベヤーベルト１がスロットコーティング位置６の下を移動するスピード；および／または（３）コンタクトスロットコーティング位置の配置（所望されるならば、カフスとトップシートとの両方がその上に配置されたスキンケア組成物を有するように、バリアーカフス部材７と同様にトップシート３８の部分にも接触するように、コーティング位置を配置することができる。）
本発明にかかる処理されたオムツカフスおよびトップシートの作製の具体例
以下は、本発明にかかるスキンケア組成物でのカフスおよび／またはトップシートまたはウェブの処理の具体例である。
【０１５３】
例１
この例は、本発明の耐油性接着剤を用いて組み立てられたカフスを有するオムツの作製、およびスキンケア組成物でのカフスの処理を説明することが意図される。
【０１５４】
Ａ．スキンケア組成物の調製
スキンケア組成物（組成物Ａ）は、以下の溶融された（すなわち液体）成分を互いに混合することによって作製される。ワセリン（ペルフェクタ（Ｐｅｒｆｅｃｔａ）（登録商標）として、グリーンウィッチ、コネチカットのウィトコ社（Ｗｉｔｃｏ  Ｃｏｒｐ．）から入手可能）、ステアリルアルコール（ＣＯ１８９７として、シンシナティ、オハイオのプロクターアンドギャンブルから入手可能）、およびアロエ抽出物（ヴァーゲルリポイドインカイドール（Ｖｅｒａｇｅｌ  Ｌｉｐｏｉｄ  ｉｎ  Ｋａｙｄｏｌ）としてサウスハッケンサック、ニュージャージーのマディスボタニカル社（Ｍａｄｉｓ  Ｂｏｔａｎｉｃａｌｓ，Ｉｎｃ）から入手可能）である。これらの成分の重量パーセントを下記表２に示す。
【０１５５】
【表２】
0004459442.tif 000007
【０１５６】
Ｂ．ホットメルトコーティングによる処理されたオムツレッグカフスの作製
カフスを組み立てるために、間隔伸縮性部材は、すでに説明したようにフィンドレィ（Ｆｉｎｄｌｅｙ）Ｈ９２６８のような本発明の接着剤によりバリアーカフス部材に作用的に接続される（すなわち、接着剤を伸縮性部材に塗布し、接着剤処理された伸縮性部材の周りにバリアーカフス部材を折りたたみ、アセンブリーを組み立てることによって）。カフスは、次いで、従来よく知られている手段を用いてトップシートに結合されてアセンブリーを完成させる。
【０１５７】
その後、アセンブリーはスキンケア組成物Ａで処理される。組成物は、溶融のために１７０°Ｆの温度において操作する加熱されたタンク中に収容される。溶融された組成物は、引き続いてコンタクトアプリケーター（例えば、１７０°Ｆの温度で操作するメルテックス（Ｍｅｌｔｅｘ）ＥＰ４５ホットメルト接着剤アプリケーターヘッド）を用いて、オムツのバリアーカフスの身体側面に直接塗布され、それは１．４インチ幅（バリアーカフスの遠方端が覆われるようなオムツの長手方向）および１１．７５インチ長さ（オムツの長手方向）の領域であり、それぞれの間隔伸縮性部材の一方または両方の端のような長手方向におけるシャーシの中央に位置する小区画は、スキンケア組成物で覆われる。付加（ａｄｄ−ｏｎ）レベル＝０．０１１６ｇ／ｉｎ2（１８．０ｇ／ｍ2）。処理されたオムツはオムツ１として例３で同一に扱われる。
【０１５８】
例２
この例は、従来の接着剤を用いて取り付けられたカフスを有するオムツの作製およびスキンケア組成物でのカフスの処理を説明することが意図される。
【０１５９】
第一のオムツの組は、従来の非耐油性接着剤（アトフィンドレィ（Ａｔｏ  Ｆｉｎｄｌｅｙ）からのＨ２５１１）を用いて、例１で説明されたものと実質的に同様の手法により取り付けられたカフスが与えられる。第二のオムツの組は、従来の耐油性接着剤（アトフィンドィからのＨ９２５４）を用いて組み立てられたカフスが与えられる。第一のオムツ（非耐油性接着剤）の一部および第二の組（耐油性接着剤）からのオムツの全ては、引き続いてスキンケア組成物Ａ（例１の手法にしたがって調製）で処理され、その処理は、組成物を溶融し、溶融された組成物を１．４インチ幅（バリアーカフスの遠方端が覆われるようなオムツの横方向）のストライプにそれぞれのカフスの身体側面の上に塗布し、例１で述べられたのと実質的に同様の手法によりバリアーカフスの長さ全体にそれを延ばすことによって行なわれる。付加（ａｄｄ−ｏｎ）レベルは、いずれのオムツの組についても約０．０１１６ｇ／ｉｎ2（１８．０ｇ／ｍ2）である。この例で得られた製品は、次のように示される：オムツ２−非耐油性接着剤、組成物での処理なし；オムツ３−非耐油性接着剤、組成物Ａで処理；およびオムツ４−従来の耐油性接着剤、組成物Ａで処理。
【０１６０】
例３
この例は、従来の代表的な接着剤と比較した際の、本発明の接着剤および従来のある種の接着剤の耐油性を説明することが意図される。
【０１６１】
例１および２にしたがって準備されたオムツからのカフスは、オムツから取り除かれて、試験方法部分に記載されている方法にしたがってクリープについて評価される。表３には、この評価の結果を示す。
【０１６２】
【表３】
0004459442.tif 000008
【０１６３】
示されるように、耐油性接着剤のいずれかを用いて組み立てられた処理されたカフスは、未処理の非耐油性の従来の接着剤のクリープ値と同等のクリープ値を有する。同様に示されるように、非耐油性の接着剤を用いて組み立てられたカフスの処理は、クリープにおける実質的な増加をもたらす。
【０１６４】
例４
この例は、本発明の接着剤の材料なじみやすさを説明することが意図される。
【０１６５】
２つの従来の接着剤（Ｈ２５１１およびＸ９２５４）と、本発明の接着剤（Ｈ９２６８）とは、オムツ組み立て試験の部品のようなフラップ伸縮性部材をしっかりと固定するための伸縮性取り付け部材として用いられる。伸縮性取り付け部材は、フラップ伸縮性部材をバックシートおよびトップシートに接合する。バックシートは、カードされた不織布と、シンプソンヴィレ、サウスカロライナのファイバーテック（Ｆｉｂｅｒｔｅｃｈ）から製品１００８として市販されているような多孔質フィルムとのラミネートである。全ての接着材料は、実質的に同等の基準重量で、従来知られているような螺旋のパターンに塗布される。完成されたオムツは、次いで、伸縮性取り付け部材の近傍において、バックシートの一体性について評価される。この評価の結果を表４に示す。
【０１６６】
【表４】
0004459442.tif 000009
【０１６７】
示されるように、約３７５°Ｆ／１９１°の塗布温度において、ポリエチレンフィルムトップシートについて、バックシートの穴あきおよび劣化が見られ始める。
【０１６８】
例５
この例は、本発明の接着剤のプロセスなじみやすさの１つの形態を説明することが意図される。
【０１６９】
例は、従来の２つの接着剤
・Ｈ２５１１、バトルクリーク、ミシガンのアトフィンドレィから入手可能であり、吸収性製品の組み立てに広く用いられているが、受け入れられない耐油性を有する；および
・Ｈ９２５４、同様にアトフィンドレィから入手可能であり、従来の耐油性接着剤の代表例である；
の溶融挙動を、本発明の耐油性接着剤（Ｈ９２６８、同様にアトフィンドレィから入手）と、次の２つの方法において比較する。
【０１７０】
１）それぞれの接着剤の３０ポンド（１３．６ｋｇ）を完全に溶融させるために必要とされる時間（ｔ）が、時間として種々の温度において測定された。結果は、図７に示される。明確にわかるように、本発明の接着剤および不満足な耐油性を有する従来広く用いられている接着剤は、従来の耐油性接着剤よりも、より類似した溶融プロファイルを有する。
【０１７１】
２）それぞれの接着剤の融解熱は、以下の試験方法（ＴＥＳＴ  ＭＥＴＨＯＤ）の部分に記載されている示差走査熱量測定にしたがって測定された。これらの測定の結果は、表５に示される。
【０１７２】
【表５】
0004459442.tif 000010
【０１７３】
図８は、この例の別の手法における結果を示し、ここでは１グラム当たりのワットで熱流（ＨＦ、ｈｅａｔ  ｆｌｏｗ）が温度（Ｔ）に対してプロットされる。曲線は、従来の非耐油性の接着剤組成物（Ｈ２５１１、５０２として図８に示される）、従来の耐油性接着剤組成物（Ｈ９２５４、５０４として示される）、および本発明の接着剤組成物（Ｈ９２６８として示される）を与える。知られているように、ベースラインの加熱曲線の上に位置する種々のピークの部分の下の面積は、足し合わされて融解熱を決定するであろう。図８に明確に示されるように、従来の耐油性接着剤は、約３００°Ｆ（１５０℃）の温度においてピークを含む。このことは、そのような従来の接着剤はこの温度を越えて加熱されなければ溶融しないことを意味する。
【０１７４】
試験方法
伸縮性クリープ
概観
カフス伸縮性部材の端部の配置は、カフスを１００°Ｆで２時間の引っ張りのもと（〜１００％伸長）で保管した後に決定される。
【０１７５】
装置
定温器          １００±１°Ｆの温度を維持することが可能。適切な定温器
は、ウエストチェスター、ペンシルベニアのＶＷＲサイエン
ティフィック（Ｓｃｉｅｎｔｉｆｉｃ）からモデル（Ｍｏｄ
ｅｌ）２０２０として市販されている
サンプル基材    ８インチ（２０ｃｍ）の内径と０．３７５インチ（９．５
ｃｍ）の壁厚とを有する環状シリンダー。適切な基材は、ウ
ェブ基材を巻き付けるために使用されるような上述した寸法
を有する厚紙である。そのようなコアは、ハートスヴェル、
サウスカロライナのソノコ（Ｓｏｎｏｃｏ）から入手可能で
ある。
【０１７６】
サンプルの準備
１）タックス止めされた（ｔａｃｋｄｏｗｎ）接合部を、注意深く分割および／または切り取ってカフスをオムツから分離する。
【０１７７】
２）カフスが取り除かれる前、しわ（ギャザーを寄せる／ギャザーを寄せない）が寄り始める点において、両方の端部で伸縮性のそれぞれの糸にマークを付ける。（注：ギャザーが始まるのを決定するのが困難な場合には、カフスを取り除いて、軽い板の上に設置して伸縮性しわにマークを付ける）。伸縮性接着された長さがタックス止めされた接合部の中に延びる場合には、最も長いタックス止めされた接合部に予想点（ｆｏｏｔｐｒｉｎｔ）のマークを付ける。それぞれのカフスは、各伸縮性部材について一対のマークを有するであろう。
【０１７８】
操作
１）サンプル片を、引っ張りのもととなるよう基材に取り付ける。以下の方法が適切であることが見出された。
【０１７９】
ａ）衣類側面を上にしてサンプル片をサンプル基材の上に設置し、伸縮性部材の未接着の端部について動きの完全な自由度が保証されるよう、基材にサンプル片の一方の端部を取り付ける。上述した厚紙サンプル基材について、サンプル片はそれらを基材に針金留めすることによって取り付けられる。
【０１８０】
ｂ）サンプル片を引っ張って、全てのしわを除く（〜１００％伸長）。伸長された長さは、サンプルカフスが取り除かれたオムツの端部マージンの間の距離と典型的に同等である。
【０１８１】
ｃ）引っ張りを維持しつつ、サンプル片の自由端部を工程ａのように基材に取り付ける。
【０１８２】
２）定温器が開放される時間が最少となるよう注意して、延ばされたアセンブリーを定温器（定温器設定点１００°Ｆ）中に配置する（扉が３０秒開放されると、定温器が回復するのに５ないし１０分かかり、これは、試験結果に著しい影響を及ぼすかもしれない）。アセンブリーが定温器内に配置された時間を記録する。
【０１８３】
３）２時間の温置の後、アセンブリーを取り出す。アセンブリーが定温器から取り出された時間を記録する。任意の測定を行なう前に、サンプルを室温に再平衡させる（〜５分）。
【０１８４】
測定および計算
１）それぞれの伸縮性端部について、端部が初期のマークに対して移動したかどうか決定する。最小０．１インチ（２ｍｍ）まで任意の移動を測定して記録する。移動なしについては、０を記録する。
【０１８５】
２）それぞれの端部について、設置および取り出しの時間に基づいて経過時間を決定することにより定温器内の時間（分）を算出する。
【０１８６】
３）クリープの全インチ（ミリメーター）を、それぞれのカフスサンプルについて合計する。例えば、３つの伸縮性部材を有するカフスは、合計で６個の伸縮性端部を有するであろう。
【０１８７】
４）それぞれのカフスサンプルについて、下記式にしたがって伸縮性端部当たりの平均クリープを算出する。
【０１８８】
【数１】
0004459442.tif 000011
【０１８９】
５）条件当たり少なくとも２５個のカフスについて、工程１〜４を繰り返す。
【０１９０】
６）平均クリープのインチ／伸縮性端部を記録する。
【０１９１】
示差走査熱量測定
ＡＳＴＭ標準方法Ｄ３４１７−８３に記載されている方法が適切である。以下の説明は、付加的な詳細のために与えられる。
【０１９２】
１）適切な示差走査熱量測定装置は、ノーウォーク、コネチカットのパーキンエルマー（Ｐｅｒｋｉｎ  Ｅｌｍｅｒ）から、モデル（Ｍｏｄｅｌ  ＤＳＣ−７）として市販されている。この装置は、標準方法のセクション１１に記載されている面積測定方法ではなくて、曲線面積の自動化された計算を与える。
【０１９３】
２）中間にあるサンプルは、標準方法のセクション８に記載されているように、最終サンプルを切断する前に、加熱されたナイフ（ダーバイ、コネチカットのシール社（Ｓｅａｌ，Ｉｎｃ．）からセレクターカスタムアイロン（Ｓｅｌｅｃｔｏｒ  Ｃｕｓｔｏｍ  Ｉｒｏｎ）として入手可能）を用いてバルクの接着剤ブロックから取り除くことができる。
【０１９４】
３）全ての装置の検定は、２０℃／分ではなく１０℃／分の昇温速度で行なう（標準方法のセクション９には、検定およびサンプルの評価に同一の昇温速度を用いることが忠告されている）。
【０１９５】
４）全てのサンプルは、以下のレジュメに引き続くことによって、同一の熱履歴が与えられる。
【０１９６】
ａ）それぞれのサンプルを、２０℃／分の速度で０℃から２００℃まで加熱する。
【０１９７】
ｂ）それぞれのサンプルを、２０℃／分の速度で２００℃から０℃まで冷却する。
【０１９８】
ｃ）それぞれのサンプルを、２０℃／分の速度で０℃から２００℃まで加熱する。
【０１９９】
融解熱の測定は、第二の加熱で行なわれる。
【図面の簡単な説明】
【図１】  下層の構造を説明するための切り取られた部分を有する本発明にかかる使い捨てオムツの態様の平面図。
【図２】  図１の部分線２−２に沿った部分断面図。
【図３】  図１の部分線３−３に沿った部分断面図。
【図４】  本発明に係る使い捨てオムツの状態における吸収性製品の斜視図。
【図５】  本発明の組成物をオムツのバリアーカフスに適用するための好ましいプロセスを説明する模式的概略図。
【図６】  従来の耐油性接着剤組成物および本発明の耐油性接着剤組成物についての温度の関数としての見かけ粘度を比較したグラフ図。
【図７】  種々の接着剤組成物について、溶融時間を溶融温度と比較したグラフ図。
【図８】  種々の接着剤組成物についての、熱移動（ｈｅａｔ  ｆｌｏｗ）対温度のグラフ図。
【符号の説明】
１…コンベヤーベルト
２…戻りコンベヤーベルト
３，４…回転ロール
５…ローションが塗布されていないオムツ
６…コンタクトスロットコーティング位置
７…バリアーカフス部材
８…バリアーカフスを有するオムツ
３８…トップシート
５０…オムツ
５１…周縁
５２…外側面
５３…横中心線
５４…内側面
５５…長手端
５６…第１のウエスト領域
５７…端部端
５８…第２のウエスト領域
５９…長手中心線
５２０…トップシート
５３０…バックシート
５４０…吸収性コア
５４２…衣類側面
５４４…身体側面
５４６…横端
５４８…ウエスト端
５４９…耳状部分
５５０…伸縮化されたレッグカフス
５６０…ウエスト部材
５７０…取り付けシステム
７００…テープ
【図１】
0004459442.tif 000012
【図２】
0004459442.tif 000013
【図３】
0004459442.tif 000014
【図４】
0004459442.tif 000015
【図５】
0004459442.tif 000016
【図６】
0004459442.tif 000017
【図７】
0004459442.tif 000018
【図８】
0004459442.tif 000019